(57)【要約】      （修正有）【課題】複数のセグメント単位の様々な情報を関連付けて送信し、受信機側ではその関連に応じてセグメントを選択、復調することが可能な送信装置あるいは受信装置を提供する。【解決手段】リアルタイム放送の場合はコンテンツ、メタデータ、アクセス制御共通情報、アクセス制御個別情報をコンテンツ送出装置から放送波により送出し、プッシュキャスト放送の場合は、コンテンツ、メタデータ、アクセス制御共通情報をコンテンツ送出装置から放送波により送出し、アクセス制御個別情報を受信装置からの要求にもとづいてライセンス管理装置からネットワークにより送出する。【選択図】図１
2012080301.tif 000002
【特許請求の範囲】
【請求項１】
コンテンツ、メタデータ、アクセス制御共通情報、アクセス制御個別情報を送出するコンテンツ送出装置と、
アクセス制御個別情報を送出するライセンス管理装置と、
コンテンツ、メタデータ、アクセス制御共通情報、アクセス制御個別情報を受信する受信装置と、
から構成されるデジタル放送送受信システムであって、
リアルタイム放送の場合はコンテンツ、メタデータ、アクセス制御共通情報、アクセス制御個別情報をコンテンツ送出装置から放送波により送出し、
プッシュキャスト放送の場合は、コンテンツ、メタデータ、アクセス制御共通情報をコンテンツ送出装置から放送波により送出し、アクセス制御個別情報を受信装置からの要求にもとづいてライセンス管理装置からネットワークにより送出することを特徴とするデジタル放送送受信システム。
【請求項２】
コンテンツ、メタデータ、アクセス制御共通情報、アクセス制御個別情報を送出するコンテンツ送出装置と、
アクセス制御個別情報を送出するライセンス管理装置と、
コンテンツ、メタデータ、アクセス制御共通情報、アクセス制御個別情報を受信する受信装置と、
から構成されるデジタル放送送受信システムであって、
リアルタイム放送の場合はコンテンツ、メタデータ、アクセス制御共通情報、アクセス制御個別情報をコンテンツ送出装置から放送波により送出し、
プッシュキャスト放送の場合は、コンテンツ、メタデータ、アクセス制御共通情報をコンテンツ送出装置から放送波により送出し、アクセス制御個別情報をライセンス管理装置からリムーバブルメディアを経由して供給することを特徴とするデジタル放送送受信システム。
【請求項３】
コンテンツ、メタデータ、アクセス制御共通情報、アクセス制御個別情報を送出するコンテンツ送出装置と、
欠損補完用データを送出する欠損補完用データ送出装置と、
アクセス制御個別情報を送出するライセンス管理装置と、
コンテンツ、メタデータ、アクセス制御共通情報、アクセス制御個別情報を受信する受信装置と、
から構成されるデジタル放送送受信システムであって、
リアルタイム放送の場合はコンテンツ、メタデータ、アクセス制御共通情報、アクセス制御個別情報をコンテンツ送出装置から放送波により送出し、
プッシュキャスト放送の場合は、コンテンツ、メタデータ、アクセス制御共通情報をコンテンツ送出装置から放送波により送出し、アクセス制御個別情報を受信装置からの要求にもとづいてライセンス管理装置からネットワークにより送出し、受信装置において受信したコンテンツに欠損があった場合には、受信装置からの要求にもとづき欠損補完用データを欠損補完用データ送出装置からネットワークにより送出することを特徴とするデジタル放送送受信システム。
【請求項４】
コンテンツ、メタデータ、アクセス制御共通情報、アクセス制御個別情報を送出するコンテンツ送出装置であって、
リアルタイム放送の場合は、コンテンツ、メタデータ、アクセス制御共通情報、アクセス制御個別情報を放送波により送出し、
プッシュキャスト放送の場合は、コンテンツ、メタデータ、アクセス制御共通情報を放送波により送出することを特徴とするコンテンツ送出装置。
【請求項５】
コンテンツ、アクセス制御共通情報、アクセス制御個別情報を受信して再生する受信装置であって、
リアルタイム放送の場合は、コンテンツを受信すると同時にアクセス制御共通情報とアクセス制御個別情報を用いて復号、再生し、
プッシュキャスト放送の場合は、コンテンツを受信して暗号化されたまま記録媒体に蓄積し、再生時にアクセス制御共通情報とアクセス制御個別情報を用いて復号、再生することを特徴とする受信装置。
【請求項６】
コンテンツ及び欠損補完用データを受信してコンテンツを再生する受信装置であって、
リアルタイム放送の場合は、コンテンツを受信すると同時に復号、再生を行い、
プッシュキャスト放送の場合は、コンテンツを受信して暗号化されたまま記録媒体に蓄積し、蓄積したコンテンツに欠損があった場合には、欠損補完用データを用いてコンテンツを修復することを特徴とする受信装置。
【発明の詳細な説明】
【技術分野】
【０００１】
本発明は、映像、音声、データなどのデジタル情報を送るデジタル放送の送信技術、受信技術に関する。
【背景技術】
【０００２】
従来は、特許文献１に示されているように、セグメント単位の様々な情報を送信するとき、複数のセグメントを一括処理して送信し、受信機側ではその受信信号の中から任意のセグメントを選択、復調できるようにしていた。
【先行技術文献】
【特許文献】
【０００３】
【特許文献１】特開２０００−２１６７４８号公報
【発明の概要】
【発明が解決しようとする課題】
【０００４】
上記特許文献１では、送信側ではセグメント単位で様々な情報を送信し、受信側ではその中から任意のセグメントを選択、復調することが開示されている。
【０００５】
しかしながら、複数のセグメント単位の様々な情報を関連付けて送信し、受信機側ではその関連に応じてセグメントを選択、復調するという、セグメント間の情報関連付けについては示されていなかった。
【０００６】
本発明はこのような状況に鑑みてなされたものであり、その目的は、セグメント間の情報を関連付けし、その関連に応じてセグメントを選択、復調することが可能な送信装置あるいは受信装置を提供することにある。
【課題を解決するための手段】
【０００７】
上記目的を達成するために、例えば、特許請求の範囲に記載の構成を採用する。
【発明の効果】
【０００８】
本発明によれば、送信側でセグメント間の情報を関連させることができ、また、その関連に応じて受信側でセグメントを選択、復調することが可能なため、ひとつのセグメントで伝送できる情報量以上の情報を処理することが可能であり、また、選択、復調しているセグメント以外の他のセグメントの情報を入手することが可能となる。
【図面の簡単な説明】
【０００９】
【図１】本発明の第１の実施形態に係るデジタル放送送受信システムの構成を示すブロック図である。
【図２】本発明の第１の実施形態に係るデジタル放送送信装置の構成を示すブロック図である。
【図３】本発明の第１の実施形態に係るマルチメディア信号発生の構成を示すブロック図である。
【図４】本発明のデジタル放送送信装置が送信するデジタル放送送信信号のセグメント構成の一実施例を示す説明図である。
【図５】本発明のデジタル放送送信装置が送信するデジタル放送送信信号のセグメント構成の一実施例を示す説明図である。
【図６】本発明の主要ブロックである変調・符号化部２１２、２２２の構成を示すブロック図である。
【図７】本発明の主要ブロックであるフレーム構成部２１４、２２４の構成を示すブロック図である。
【図８】本発明のデジタル放送送信装置が送信するデジタル放送送信信号のフレーム構成の説明図である。
【図９】本発明の主要ブロックであるＴＭＣＣ信号構成部６０３で構成するＴＭＣＣ信号を示す説明図である。
【図１０】本発明の主要ブロックであるＴＭＣＣ信号構成部６０３で構成するＴＭＣＣ信号を示す説明図である。
【図１１】本発明の主要ブロックであるＴＭＣＣ信号構成部６０３で構成するＴＭＣＣ信号を示す説明図である。
【図１２】本発明の主要ブロックであるＴＭＣＣ信号構成部６０３で構成するＴＭＣＣ信号を示す説明図である。
【図１３】本発明の主要ブロックであるＴＭＣＣ信号構成部６０３で構成するＴＭＣＣ信号を示す説明図である。
【図１４】本発明の主要ブロックであるＴＭＣＣ信号構成部６０３で構成するＴＭＣＣ信号を示す説明図である。
【図１５】本発明の主要ブロックであるＴＭＣＣ信号構成部６０３で構成するＴＭＣＣ信号を示す説明図である。
【図１６】本発明のデジタル放送送信装置が送信するデジタル放送送信信号のサービス構成の一実施例を示す説明図である。
【図１７】本発明のデジタル放送送信装置が送信するデジタル放送送信信号のセグメント構成の一実施例を示す説明図である。
【図１８】本発明のデジタル放送送信装置が送信するデジタル放送送信信号のパイロット情報の一実施例を示す説明図である。
【図１９】本発明の第２の実施形態に係るデジタル放送受信装置の構成を示すブロック図である。
【図２０】本発明のデジタル放送受信装置が受信するデジタル放送送信信号の説明図である。
【図２１】本発明の主要ブロックである復調復号部１９０５の構成を示すブロック図である。
【図２２】本発明の主要ブロックである復調復号部１９０５の他の構成を示すブロック図である。
【図２３】本発明のデジタル放送受信装置の受信動作を示すフローチャートである。
【図２４】本発明のデジタル放送受信装置の受信動作を示す説明図である。
【図２５】本発明のデジタル放送受信装置の受信動作を示す説明図である。
【図２６】本発明の第３の実施形態に係るデジタル放送送信装置が送信するデジタル放送送信信号のサービス構成の一実施例を示す説明図である。
【図２７】本発明のデジタル放送送信装置が送信するデジタル放送送信信号のセグメント構成の一実施例を示す説明図である。
【図２８】本発明のデジタル放送送信装置が送信するデジタル放送送信信号のパイロット情報の一実施例を示す説明図である。
【図２９】本発明の第４の実施形態に係るデジタル放送受信装置の受信動作を示すフローチャートである。
【図３０（ａ）】本発明のデジタル放送受信装置の受信動作を示す説明図である。
【図３０（ｂ）】本発明のデジタル放送受信装置の受信動作を示す説明図である。
【図３１】本発明の第５の実施形態に係るデジタル放送送信装置が送信するデジタル放送送信信号のサービス構成の一実施例を示す説明図である。
【図３２】本発明のデジタル放送送信装置が送信するデジタル放送送信信号のセグメント構成の一実施例を示す説明図である。
【図３３】本発明のデジタル放送送信装置が送信するデジタル放送送信信号のパイロット情報の一実施例を示す説明図である。
【図３４】本発明の第６の実施形態に係るデジタル放送受信装置の受信動作を示すフローチャートである。
【図３５】本発明のデジタル放送受信装置の受信動作を示す説明図である。
【図３６】本発明の第７の実施形態に係るデジタル放送送信装置が送信するデジタル放送送信信号のパイロット情報の一実施例を示す説明図である。
【図３７】本発明の第８の実施形態に係るデジタル放送受信装置の受信動作を示すフローチャートである。
【図３８】本発明の本発明の第９の実施形態に係デジタル放送送信装置が送信するデジタル放送送信信号のセグメント構成の一実施例を示す説明図である。
【図３９】本発明のデジタル放送送信装置が送信するデジタル放送送信信号のパイロット情報の一実施例を示す説明図である。
【図４０（ａ）】本発明のデジタル放送送信装置が送信するデジタル放送送信信号のパイロット情報の一実施例を示す説明図である。
【図４０（ｂ）】本発明のデジタル放送送信装置が送信するデジタル放送送信信号のパイロット情報の一実施例を示す説明図である。
【発明を実施するための形態】
【００１０】
以下、本発明を実施するための形態について図面を参照して詳述する。なお、図面において、同一符号は、同一または相当部分を示す。また、本発明は、図示例に限定されるものではない。
【実施例１】
【００１１】
図１は、本発明に係る実施形態１におけるデジタル放送配信のシステム構成を示すブロック図である。１０１はコンテンツ送出装置、１０２は欠損補完用データ送出装置、１０３はライセンス管理装置、１０４は決済システム・顧客管理システム、１０５はリムーバブルメディア、１０６は受信装置、１０７は蓄積装置、１０８はメタデータ送出装置である。
【００１２】
配信するコンテンツおよび、コンテンツに関する情報を格納したメタデータは、蓄積装置１０７に格納されており、配信のためにコンテンツ送出装置１０１に登録される。登録されたコンテンツおよび、メタデータは、アクセス制御共通情報やアクセス制御個別情報とともにコンテンツ送出装置１０１から放送波経由で送出される。メタデータは、放送波経由だけではなく、メタデータ送出装置１０８から通信経由で送出されてもよい。
【００１３】
視聴可否に関する情報は、ライセンス管理装置１０３および、決済システム・顧客管理システム１０４によって管理され、アクセス制御共通情報および、アクセス制御個別情報がコンテンツ送出装置１０１に供給される。アクセス制御共通情報および、アクセス制御個別情報は、コンテンツ送出装置１０１から放送波経由で送出されるだけではなく、ライセンス管理装置１０３から通信経由で配信されてもよい。また、コンテンツ送出装置１０１においてアクセス制御共通情報および、アクセス制御個別情報をリムーバブルメディア１０５に格納し、直接配達したり、販売店を通じて販売したりすることでユーザのもとに届けてもよい。
【００１４】
欠損補完用データ送出装置１０２は、放送波によって配信したコンテンツに受信装置１０６受信時点で欠損があった場合に、欠損を修復するためのデータを送出する機能をもつ。欠損補完用データ送出装置１０２は、受信装置１０６からの欠損補完用データリクエストに従って、欠損補完用データを通信経由で送出する。欠損補完用データの受信が完了したのち、受信装置１０６は、欠損補完用データ送出装置に対して受信報告を送信する。
【００１５】
図１においては、コンテンツ送出装置１０１、欠損補完用データ送出装置１０２，ライセンス管理装置１０３、決済システム・顧客管理システム１０４、蓄積装置１０７、メタデータ送出装置１０８をすべて別の装置として記載したが、複数の機能を備える装置があってもよく、本発明を図１の構成に限定するものではない。
【００１６】
本発明に係るデジタル放送においては、リアルタイム放送とプッシュキャスト放送が配信される。リアルタイム放送は、ストリーミング型の配信であって、放送波を受信しながら同時にそのコンテンツを再生するサービスである。一方、プッシュキャスト放送とは、ダウンロード型の配信であって、放送波を受信したあとの任意のタイミングで再生するサービスである。
【００１７】
リアルタイム放送の場合、コンテンツ送出装置１０１は、コンテンツ、メタデータ、アクセス制御共通情報および、アクセス制御個別情報をすべて放送波経由で送出する。コンテンツ送出装置１０１は、アクセス制御共通情報および、アクセス制御個別情報を送出するために、あらかじめライセンス管理装置１０３からアクセス制御共通情報および、アクセス制御個別情報を取得しておく。受信装置１０６は、放送波からコンテンツ、メタデータ、アクセス制御共通情報および、アクセス制御個別情報を分離・抽出し、取得したアクセス制御共通情報および、アクセス制御個別情報を使ってコンテンツを復号する。
【００１８】
なお、アクセス制御個別情報は、無料放送の場合など必ずしも送出する必要はない。
【００１９】
また、アクセス制御個別情報は、放送帯域の有効活用の観点から、ライセンス管理装置１０３よりネットワーク経由もしくは、リムーバブルメディア１０５経由で配信してもよい。この場合、受信装置１０６は、コンテンツ受信前にあらかじめアクセス制御個別情報を入手しておく必要がある。
【００２０】
プッシュキャスト放送の場合、コンテンツ送出装置１０１は、コンテンツ、メタデータ、アクセス制御共通情報および、アクセス制御個別情報をすべて放送波経由で送出する。コンテンツ送出装置１０１は、アクセス制御共通情報および、アクセス制御個別情報を送出するために、あらかじめライセンス管理装置１０３からアクセス制御共通情報および、アクセス制御個別情報を取得しておく。受信装置１０６は、放送波からコンテンツ、メタデータ、アクセス制御共通情報および、アクセス制御個別情報を分離・抽出し、取得したアクセス制御共通情報および、アクセス制御個別情報を使ってコンテンツを復号する。
【００２１】
なお、アクセス制御個別情報は、無料放送の場合など必ずしも送出する必要はない。
【００２２】
また、プッシュキャスト放送の場合、コンテンツの受信と再生の間に時間的な隔たりがあるため、メタデータ、アクセス制御共通情報および、アクセス制御個別情報を必ずしもコンテンツと同時に放送波経由で送出する必要はない。メタデータは、メタデータ送出装置１０８からネットワーク経由で配信してもよい。アクセス制御共通情報および、アクセス制御個別情報は、ライセンス管理装置１０３よりネットワーク経由もしくは、リムーバブルメディア１０５経由で配信してもよい。受信装置１０６は、コンテンツ再生時までに、ネットワーク経由もしくは、リムーバブルメディア１０５経由でアクセス制御個別情報を入手しておく必要がある。
【００２３】
また、コンテンツの受信と再生の間に時間的な隔たりがあることから、コンテンツ送出装置１０１は、ある時間帯において特定のコンテンツを複数回繰り返し送出してもよい。
【００２４】
さらに、受信装置１０６が放送波経由で受信したコンテンツに欠損があった場合に、欠損補完用データを送出することで、受信装置１０６に蓄積されたコンテンツを修復してもよい。受信装置１０６は、蓄積したコンテンツに欠損があると判断した場合、欠損補完用データ送出装置１０２に対して、ネットワーク経由で欠損補完用データリクエストを送信する。欠損補完用データ送出装置１０２は、欠損補完用データリクエストに応じて、受信装置１０６に対してネットワーク経由で欠損補完用データを送出する。受信装置１０６は、欠損補完用データを受信して蓄積していたコンテンツの修復を試み、ネットワーク経由で欠損補完用データ送出装置１０２に受信報告を送信する。
【００２５】
図２はコンテンツ送出装置１０１内部の詳細な構成を示すブロック図である。本デジタル放送方式では、複数のＭＰＥＧ−２トランスポートストリーム(MPEG-2 Transport Stream、以下、ＴＳとする)を、それぞれ伝送路符号化処理を施した後、ＩＦＦＴ(Inverse Fast Fourier Transform)により複数のサブキャリアからなるＯＦＤＭ（Orthogonal Frequency Division Multiplexing）送信信号に一括して変換し、放送波として送信する。
【００２６】
図３は、マルチメディア信号発生２０１内部の詳細な構成を示すブロック図である。３０１はコンテンツ・メタデータ登録機能、３０２はメタデータ生成機能、３０３はメタデータ蓄積機能、３０４はコンテンツ蓄積・再生機能、３０５はコンテンツ暗号化機能、３０６は記録媒体である。
【００２７】
コンテンツ送出装置１０１の外部から供給されたコンテンツおよび、メタデータは、コンテンツ・メタデータ登録機能３０１によって登録される。登録されたコンテンツおよび、メタデータは、それぞれコンテンツ蓄積・再生機能３０４および、メタデータ蓄積機能３０３により、記録媒体３０６に保存される。コンテンツの送出やライセンスに関するメタデータは、メタデータ生成機能３０２により生成され、メタデータ蓄積機能３０３により、記録媒体３０６に保存される。保存されたコンテンツおよび、メタデータは、コンテンツ暗号化機能３０５により暗号化され、ストリームとして出力される。
【００２８】
また、図４に本発明のデジタル放送送信装置が送信するデジタル放送送信信号のセグメント構成の一実施例を示す。まず、図４を説明する。
【００２９】
本デジタル放送送信信号は、207.5MHz以上222MHz以下の周波数の電波(VHF-High帯)を使用する放送局の行う地上マルチメディア放送のうち、セグメント連結伝送方式によるものである。これは、地上デジタルテレビジョン放送の伝送方式、及び、地上デジタル音声放送の伝送方式をベースとする。
【００３０】
デジタル放送送信信号のＯＦＤＭセグメントは、
(1)地上デジタルテレビジョン放送の伝送方式に準拠した13セグメント形式のＯＦＤＭセグメント(タイプＡスーパーセグメント)
(2)地上デジタル音声放送の伝送方式に準拠した1セグメント形式のＯＦＤＭセグメントを14個以下で連結したもの（タイプＢスーパーセグメント）
を連結して(以下、連結ＯＦＤＭセグメント)構成される。ここで、1セグメントは地上テレビジョン放送のチャンネル帯域幅6MHzを14等分した帯域幅を持つ。また、連結ＯＦＤＭセグメントには必ず1つ以上のタイプＡスーパーセグメントを含む。
【００３１】
デジタル放送が割り当てられる周波数帯において、地上テレビジョン放送と同様に6MHz幅の物理チャンネルを前提とする。この際、各スーパーセグメントの伝送スペクトラムは、いずれか１つの物理チャンネルに配置される。なお、物理チャンネルの周波数位置は、一部帯域を重複して定義される場合もあり得る。この場合、重なり部分の周波数帯幅は6/14MHzの整数倍となる。
【００３２】
また、物理チャンネル内の周波数に対し、サブチャンネルを図５に示すように定義する。サブチャンネルは帯域幅1/7MHzの仮想チャンネルであり、6MHzの物理チャンネル帯域幅をチューニングステップ1/7MHz毎に0から41まで番号付けをする。
【００３３】
サブチャンネル番号とセグメントの関係の例を図５に示す。図５には、中心サブチャンネル番号22の1セグメントの例を示している。サブチャンネル21,22,23で１セグメントを構成する。1セグメント形式のうち、サブチャンネル番号 0, 1, 41については物理チャンネルを跨いて配置される。また、13セグメント形式の場合は13セグメントの中心のセグメント(セグメント番号＃０)の中心サブチャンネル番号で表すことができる。
【００３４】
割当周波数帯幅が14.5MHzの場合、連結ＯＦＤＭセグメントの最大セグメント数は33となるが、この場合、図４に示す物理チャンネルと、スーパーセグメント配置が考えられる。
【００３５】
図４(a)では、"物理チャンネル開始周波数〜物理チャンネル終了周波数"として、
物理チャンネル１：204〜210MHz
物理チャンネル２：210〜216MHz
物理チャンネル３：216〜222MHz
であり、
スーパーセグメント１：
タイプＢ(1セグメント5個)
物理チャンネル１
中心サブチャンネル番号｛28,31,34,37,40｝(範囲[27-41])
スーパーセグメント２：
タイプＢ(1セグメント1個)
物理チャンネル２
中心サブチャンネル番号｛1｝(範囲[0-2])
スーパーセグメント３：
タイプＡ(13セグメント1個)
物理チャンネル２
中心サブチャンネル番号｛22｝(範囲[3-41])
スーパーセグメント４：
タイプＢ(1セグメント1個)
物理チャンネル３
中心サブチャンネル番号｛1｝(範囲[0-2])
スーパーセグメント５：
タイプＡ(13セグメント1個)
物理チャンネル３
中心サブチャンネル番号｛22｝(範囲[3-41])
となる。このとき、
スーパーセグメント１、中心サブチャンネル番号28の選局周波数となる中心周波数は208MHzであり、同様に、
スーパーセグメント１、中心サブチャンネル番号31の選局周波数となる中心周波数は(208+3/7)MHz、
スーパーセグメント１、中心サブチャンネル番号34の選局周波数となる中心周波数は(208+6/7)MHz、
スーパーセグメント１、中心サブチャンネル番号37の選局周波数となる中心周波数は(209+2/7)MHz、
スーパーセグメント１、中心サブチャンネル番号40の選局周波数となる中心周波数は(209+5/7)MHz、
スーパーセグメント２、中心サブチャンネル番号 1の選局周波数となる中心周波数は(210+1/7)MHz、
スーパーセグメント３、中心サブチャンネル番号22の選局周波数となる中心周波数は(213+1/7)MHz、
スーパーセグメント４、中心サブチャンネル番号 1の選局周波数となる中心周波数は(216+1/7)MHz、
スーパーセグメント５、中心サブチャンネル番号22の選局周波数となる中心周波数は(219+1/7)MHz、
となる。すなわち、
［式１］：選局周波数＝
(スーパーセグメントの配置される物理チャンネルの開始周波数+中心サブチャンネル番号×1/7)MHz
てある。
【００３６】
また、図４(b)では、
物理チャンネル１：204+(8×6/14)〜210+(8×6/14)MHz
物理チャンネル２：210+(8×6/14)〜216+(8×6/14)MHz
物理チャンネル３：216〜222MHz
であり、
スーパーセグメント１：
タイプＡ(13セグメント1個)
物理チャンネル１
中心サブチャンネル番号｛22｝(範囲[3-41])
スーパーセグメント２：
タイプＢ(1セグメント7個)
物理チャンネル２
中心サブチャンネル番号｛1,4,7,10,13,16,19｝(範囲[0-20])
スーパーセグメント３：
タイプＡ(13セグメント1個)
物理チャンネル３
中心サブチャンネル番号｛22｝(範囲[3-41])
となる。このとき、
スーパーセグメント１、中心サブチャンネル番号22の選局周波数となる中心周波数は(210+4/7)MHzであり、同様に、
スーパーセグメント２、中心サブチャンネル番号 1の選局周波数となる中心周波数は(213+4/7)MHz、
スーパーセグメント２、中心サブチャンネル番号 4の選局周波数となる中心周波数は214MHz、
スーパーセグメント２、中心サブチャンネル番号 7の選局周波数となる中心周波数は(214+3/7)MHz、
スーパーセグメント２、中心サブチャンネル番号10の選局周波数となる中心周波数は(214+6/7)MHz、
スーパーセグメント２、中心サブチャンネル番号13の選局周波数となる中心周波数は(215+2/7)MHz、
スーパーセグメント２、中心サブチャンネル番号16の選局周波数となる中心周波数は(215+5/7)MHz、
スーパーセグメント２、中心サブチャンネル番号19の選局周波数となる中心周波数は(216+1/7)MHz、
スーパーセグメント３、中心サブチャンネル番号22の選局周波数となる中心周波数は(219+1/7)MHz、
となる。
【００３７】
図４(a)の例では現行のVHFの10、11、12チャンネルの物理チャンネルを使用しているため現行テレビジョン受信装置の選局部と整合性がよい効果がある。図４(b)の例では割当帯域の両端に13セグメント形式を配置しているため割当帯域外からの干渉を受けても周波数インターリーブの効果があるため干渉を受けにくい効果がある。
【００３８】
次に図２のデジタル放送送信装置の動作を説明する。
【００３９】
２０１はマルチメディア信号発生部、２０２は13セグメント形式符号化部、２０３は3セグメント形式符号化部、２０４は連結フレーム構成部、２０５は再連結フレーム構成部、２０６は逆高速フーリエ変換(以下、ＩＦＦＴ)／ガードインターバル付加部、２０７はアップコンバータ部、２０８は送信アンプ部、２０９はアンテナである。
【００４０】
また、２１１はＲＳ(リード・ソロモン)符号化部、２１５は階層分割部、２１２は変調・符号化部、２１６は階層合成部、２１３はインタリーブ部、２１４はフレーム構成部であり、これらで13セグメント形式符号化部２０２が構成される。変調・符号化部２１２はa、b、cの３系統ある。
【００４１】
さらにまた、２２１はＲＳ(リード・ソロモン)符号化部、２２２は変調・符号化部、２２３はインタリーブ部、２２４はフレーム構成部であり、これらで1セグメント形式符号化部２０３が構成される。
【００４２】
図２のデジタル放送送信装置は、13セグメント形式符号化部２０２がaとbの２系統、1セグメント形式符号化部２０３がa、b、c、d、e、f、gの7系統、あわせて33セグメント(13×2+7)の連結ＯＦＤＭセグメントとしている。
【００４３】
変調・符号化部２１２、２２２の詳細な構成を図６に示す。
【００４４】
６０１は前段からの入力、６０２はエネルギー拡散部、６０３は遅延補正部、６０４はバイトインターリーブ部、６０５は畳み込み符号化部、６０６はキャリア変調部、６０７はビットインターリーブ部、６０８はマッピング部、６０９は出力であり、キャリア変調部６０６はビットインターリーブ部６０７とマッピング部６０８で構成される。
【００４５】
フレーム構成部２１４、２２４の詳細な構成を図７に示す。
【００４６】
７０１は前段からの入力、７０２はパイロット信号構成部、７０３はＴＭＣＣ(Transmission and Multiplexing Configuration Control)信号構成部、７０４はＡＣ(Auxiliary Channel)信号構成部、７０５はＯＦＤＭフレーム構成部、７０６は出力である。
【００４７】
マルチメディア信号発生部２０１において、映像信号、音声信号、データがそれぞれ符号化され、それぞれの13セグメント形式符号化部２０２や1セグメント形式符号化部２０３に出力するＴＳが生成される。
【００４８】
まず、13セグメント形式符号化部２０２の動作説明をする。
【００４９】
それぞれのＴＳはＩＦＦＴサンプルクロックの４倍のクロックにより188バイト単位のバースト信号形式に変換され、ＲＳ符号化部２１１でリード・ソロモン外符号が付加される。その後、階層伝送を行う場合には、階層情報の指定に沿って階層分割部２１５で階層分割され、最大３系統の変調・符号化部２１２a、b、cに入力される(図６では入力６０１)。変調・符号化部２１２a、b、cにおいては、図６を用いて説明すると、入力６０１から入力された信号は、それぞれ、エネルギー拡散部６０２によるエネルギー拡散、バイトインターリーブ部６０４によるバイトインターリーブ、畳み込み符号化部６０５による畳み込み符号化、ビットインターリーブ部６０７によるビットインターリーブとマッピング部６０８によるマッピングを行いキャリア変調部６０６としてキャリア変調が施され出力６０９から出力される。また、バイトインターリーブとビットインターリーブの時間軸操作で生じる階層間の遅延時間差に対して予め遅延補正部６０３により遅延補正を行い、タイミング調整を図っている。畳み込み符号の符号化率、インターリーブ長、キャリア変調方式はそれぞれの階層で独立に設定される。変調・符号化部２１２a、b、cでの並列処理の後、階層合成部２１６で階層合成された信号は、移動受信における電界変動やマルチパス妨害に対して、誤り訂正符号化の能力を有効に発揮させるためインターリーブ部２１３に入力される。インターリーブ部２１３では時間インターリーブや周波数インターリーブが行なわれる。時間インターリーブの方式は、送受あわせた遅延時間を短縮し受信機のメモリー容量を抑えるため畳み込みインターリーブである。また、周波数インターリーブは、セグメント構造を確保しつつ、十分なインターリーブ効果が発揮できるよう、セグメント間とセグメント内のインターリーブを組み合わせて構成されている。
【００５０】
インターリーブ部２１３の出力はフレーム構成部２１４に入力される(図７では入力７０１)。フレーム構成部２１４の動作を図７を用いて説明する。
【００５１】
複数の伝送パラメータが混在する階層伝送に対して、受信機の復調・復号を補助するため、システム識別、伝送パラメータ切替指標、緊急警報放送用起動フラグ、各階層の伝送パラメータなど、受信機の復調動作を円滑に行なうための制御情報としてＴＭＣＣ（Transmission and Multiplexing Configuration Control）信号が特定のキャリアを用いて伝送される。また、放送に関する付加情報を伝送するため、特定のキャリアに割り当てられた変調波の伝送制御に関する付加情報や地震動警報情報を伝送するための拡張用信号であるＡＣ(Auxiliary Channel)信号が用いられる。
【００５２】
ＯＦＤＭフレーム構成部７０５では、インターリーブ部２１３からの情報データ、パイロット信号構成部７０２からの同期再生用パイロット信号、ＴＭＣＣ構成部７０３からのＴＭＣＣ信号、および、ＡＣ信号構成部７０４からのＡＣ信号によりＯＦＤＭフレームが構成され、出力７０６から出力される。このフレーム構成を図８に示す。
【００５３】
Ｓi,jはインターリーブ後のデータセグメント内のキャリアシンボルを表す。ＳＰ(Scattered Pilot)は受信機が準同期検波を行なうための基準パイロットシンボルである。図８に示すとおり、キャリア方向に12キャリアに１回、シンボル方向に４シンボルに１回挿入される。受信側でＳＰをシンボル方向に補間すれば、３(12／４)キャリア間隔のＳＰを得ることができる。ガードインターバル長の最大値が有効シンボル長の１／４であることから、３キャリア間隔のＳＰによる補間処理(伝送路特性推定)により、シンボル間干渉を生じない最大遅延時間までのマルチパスに対応することが可能である。なお、ガードインターバル比が１／４の場合、原理的には４キャリア間隔のＳＰであればよいが、補間フィルタの特性などを考慮し、シンボル方向には４シンボルに1回挿入されている。
【００５４】
図８の例はモード1であるが、モード１のキャリア番号は0から107なのに対して、モード2、モード3 ではそれぞれ、0から215、0から431である。
【００５５】
ＡＣ信号は図８に示すとおり配置され、１キャリア204ビットのデータ量を持つ。また、ＡＣ信号は各セグメントごとに、モード１では２本、モード２では４本、モード3では８本、配置される。
【００５６】
ＴＭＣＣ信号は図８に示すとおり配置され、１キャリア204ビットのデータ量を持つ。また、ＴＭＣＣ信号は各セグメントごとに、モード１では１本、モード２では２本、モード3では４本、配置される。
【００５７】
フレーム構成を終えた全信号は出力７０６から出力され、再連結フレーム構成部２０５に入力される。図２の実施例では２個の13セグメント形式符号化部２０２ａ、ｂがあり、それぞれ再連結フレーム構成部２０５に入力される。
【００５８】
次に、1セグメント形式符号化部２０３の動作説明をする。
【００５９】
それぞれのＴＳはＩＦＦＴサンプルクロックの４倍のクロックにより188バイト単位のバースト信号形式に変換され、ＲＳ符号化部２２１でリード・ソロモン外符号が付加される。その後、変調・符号化部２２２に入力される(図６では入力６０１)。変調・符号化部２２２の動作は上記13セグメント形式符号化部２０２のときに図６を用いて説明したとおりである。設定された畳み込み符号の符号化率、インターリーブ長、キャリア変調方式が用いられる。変調・符号化部２２２での処理の後、移動受信における電界変動やマルチパス妨害に対して、誤り訂正符号化の能力を有効に発揮させるためインターリーブ部２２３に入力される。インターリーブ部２２３では時間インターリーブや周波数インターリーブが行なわれる。時間インターリーブの方式は、送受あわせた遅延時間を短縮し受信機のメモリー容量を抑えるため畳み込みインターリーブである。また、周波数インターリーブは、セグメント構造を確保しつつ、十分なインターリーブ効果が発揮できるよう、セグメント間とセグメント内のインターリーブを組み合わせて構成されている。
【００６０】
インターリーブ部２２３の出力はフレーム構成部２２４に入力される(図７では入力７０１)。フレーム構成部２２４の動作は上記13セグメント形式符号化部２０２のときに図７を用いて説明したとおりである。
【００６１】
フレーム構成を終えた全信号は連結フレーム構成部２０４に入力される。図２の実施例では７個の1セグメント形式符号化部２０３ａ、ｂ、ｃ、ｄ、ｅ、ｆ、ｇがあり、それぞれ連結フレーム構成部２０４に入力される。
【００６２】
ここで、図４のセグメント構成と対比すると、
図４(a)では、例えば、
スーパーセグメント１：タイプＢ(1セグメント5個)のそれぞれのセグメントは２０３ａ[ＴＳ２]、ｂ[ＴＳ３]、ｃ[ＴＳ４]、ｄ[ＴＳ５]、ｅ[ＴＳ６]のそれぞれのブロックに割り当てられ、連結フレーム構成部２０４で連結され、再連結フレーム構成部２０５に出力される。
【００６３】
スーパーセグメント２：タイプＢ(1セグメント1個)のセグメントは２０３ｆ[ＴＳ７]のブロックに割り当てられ、連結フレーム構成部２０４に入力され、再連結フレーム構成部２０５に出力される。
【００６４】
スーパーセグメント３：タイプＡ(13セグメント1個)の13セグメントは２０２ａ[ＴＳ１]のブロックに割り当てられ、再連結フレーム構成部２０５に出力される。
【００６５】
スーパーセグメント４：タイプＢ(1セグメント1個)のセグメントは２０３ｇ[ＴＳ８]のブロックに割り当てられ、連結フレーム構成部２０４に入力され、再連結フレーム構成部２０５に出力される。
【００６６】
スーパーセグメント５：タイプＡ(13セグメント1個)の13セグメントは２０２
ｂ[ＴＳ９]のブロックに割り当てられ、再連結フレーム構成部２０５に出力される。
【００６７】
図４(ｂ)では、
スーパーセグメント１：タイプＡ(13セグメント1個)の13セグメントは２０２ａ[ＴＳ１]のブロックに割り当てられ、再連結フレーム構成部２０５に出力される。
【００６８】
スーパーセグメント２：タイプＢ(1セグメント7個)のそれぞれのセグメントは２０３ａ[ＴＳ２]、ｂ[ＴＳ３]、ｃ[ＴＳ４]、ｄ[ＴＳ５]、ｅ[ＴＳ６]、ｆ[ＴＳ７]、ｇ[ＴＳ８]のそれぞれのブロックに割り当てられ、連結フレーム構成部２０４で連結され、再連結フレーム構成部２０５に出力される。
【００６９】
スーパーセグメント３：タイプＡ(13セグメント1個)の13セグメントは２０２ｂ[ＴＳ９]のブロックに割り当てられ、再連結フレーム構成部２０５に出力される。
【００７０】
[]内は13セグメント形式符号化部２０２、1セグメント形式符号化部２０３それぞれに入力されるＴＳの番号である。また、1セグメント形式の場合、サブチャンネルとＴＳ番号を関連つけることができる。
【００７１】
連結フレーム構成部２０４は、図４(ａ)の例ではスーパーセグメント１を1セグメント形式のＯＦＤＭセグメント２０３ａ、ｂ、ｃ、ｄ、ｅの出力5個を連結して構成し、スーパーセグメント２を1セグメント形式のＯＦＤＭセグメント２０３ｆ出力1個で構成し、スーパーセグメント４を1セグメント形式のＯＦＤＭセグメント２０３ｇ出力1個で構成し、それぞれタイプＢのスーパーセグメントとし、再連結フレーム構成部２０５に出力する。
【００７２】
連結フレーム構成部２０４は、図４(ｂ)の例ではスーパーセグメント２を1セグメント形式のＯＦＤＭセグメント２０３ａ、ｂ、ｃ、ｄ、ｅ、ｆ、ｇの出力7個を連結して構成し、タイプＢのスーパーセグメントとし、再連結フレーム構成部２０５に出力する。
【００７３】
13セグメント形式符号化部２０２ａ、ｂの出力はタイプＡのスーパーセグメントであり、それぞれ再連結フレーム構成部２０５に出力する。
【００７４】
再連結フレーム構成部２０５は上記タイプＡのスーパーセグメント、タイプＢのスーパーセグメントが入力され、それらのスーパーセグメントを連結し、連結ＯＦＤＭセグメントとする。スーパーセグメントを連結する際に、中心周波数差に対する位相補償およびパイロット変調位相の不整合に対する位相補正を行う。
【００７５】
ＩＦＦＴ／ガードインターバル付加部２０６では再連結フレーム構成部２０５の出力信号である連結ＯＦＤＭセグメントがＩＦＦＴ演算によりＯＦＤＭ信号に変換され、ガードインターバルが付加されてＯＦＤＭ送信信号に変換される。そして、アップコンバータ部２０７で決められた周波数のデジタル放送送信信号に変換され、送信アンプ部２０８で電力増幅されて、アンテナ２０９で送信される。
【００７６】
本デジタル放送送信信号は、連結ＯＦＤＭセグメントを一括でIＦＦＴ/ガードインターバル付加処理して生成される。ここで、13セグメント形式部分は最大3階層（内、1セグメントを部分受信可）まで分割し、階層毎に畳み込み符号の符号化率、インターリーブ長、キャリア変調方式等を独立に設定を可能とする。1セグメント形式部分についても、セグメント毎に畳み込み符号の符号化率、インターリーブ長、キャリア変調方式等の設定を可能とする。図２の例の場合のスーパーセグメント構成に対応したデジタル放送送信装置は、9系統の伝送路符号化処理を並列して行う。
【００７７】
本デジタル放送送信方法の連結送信は、複数のセグメント(13セグメント形式、および1セグメント形式)をガードバンドなしに同一送信点から送信することをいう。なお、連結送信時におけるパラメータの制限事項を以下に示す。
(1)モードを同一とする
連結送信ではＯＦＤＭシンボル同期をお互いに取る必要があることから、シンボル長の異なるモードを混在させることはできない。
(2)ガードインターバル長を同一とする
上記(1)と同じ理由により、異なるガードインターバルを使用するとＯＦＤＭシンボル長が異なるため、混在させることはできない。
(3)タイプＡスーパーセグメントの数は1以上とする
デジタル放送送信方法では、複数セグメントの連結が可能なようにＯＦＤＭセグメントのキャリア構成を構造化することにより、サービスに適した帯域幅や伝送特性に柔軟に対応すると共に、地上デジタルテレビジョン方式、及び、地上デジタル音声方式との相互運用、ハードウェア、ソフトウェアリソースの共用化を可能としている。
【００７８】
次に、図９から図１５を用い、ＴＭＣＣ信号構成部７０３で構成されるＴＭＣＣ信号の構成を説明する。
【００７９】
図９はＴＭＣＣの信号構成(ＴＭＣＣキャリアのビット割り当て)を示す。ＴＭＣＣ信号は、階層構成や各ＯＦＤＭセグメントの伝送パラメータ等、受信機の復調動作に関わる情報を伝送するものである。ＴＭＣＣ信号のビット割付は、地上デジタルテレビジョン放送および地上デジタル音声放送と同様とした。これは、ＴＭＣＣ信号の復号処理を容易にし、受信機の負担を軽減させるためである。
【００８０】
差動復調の基準は1ビットであり、振幅及び位相基準を規定する。
【００８１】
同期信号は、16ビットのワードで構成される。同期信号には、w0=0011010111101110とそれをビット反転したw1=1100101000010001の２種類あり、フレーム毎にw0とw1が交互に送出される。同期信号は、ＴＭＣＣ信号の同期及びＯＦＤＭのフレーム同期を確立するために用いられる。ＴＭＣＣ情報のビットパターンが同期信号に一致して生じる疑似同期引き込み現象を防ぐために、フレーム毎に同期信号の極性反転が行われる。ＴＭＣＣ情報はフレーム毎に反転することはないので、フレーム毎の反転により疑似同期引き込みを避けることができる。
【００８２】
セグメント形式識別は、そのセグメントが差動変調部であるか同期変調部であるかを識別するための信号である。3 ビットのワードで構成され、差動変調部の場合には‘111’、同期変調部の場合には‘000’が割り当てられる。ＴＭＣＣキャリア数はセグメント形式によって異なり、部分受信セグメントが同期変調部に属する場合、１本のみとなる。この場合でも確実な復号が可能なように、識別信号に３ビットを割り当て、符号間距離が最大となる反転信号としている。
【００８３】
ＴＭＣＣ情報のビット割り当てを図１０に示す。
【００８４】
ＴＭＣＣ情報は、システム識別、伝送パラメータ切り替え指標、緊急警報放送用起動フラグ、カレント情報、ネクスト情報など、受信機の復調と復号動作を補助する情報である。102ビットあるＴＭＣＣ情報のうち、現在90ビットを定義しているが、残りの12ビットは将来の拡張用としてリザーブする。このリザーブビットには、すべて「1」をスタッフィングする。なお、1セグメント形式のB階層及びC階層に関しては、13セグメント形式との互換性を保つため、ビット割付上は確保することとする。但し、後述する通り、未使用の階層を意味する情報を割り付けるものとする。
【００８５】
システム識別の説明を図１１に示す。
【００８６】
システム識別用の信号に２ビット割り当てる。地上デジタルテレビジョン放送システムと互換の13セグメント形式は‘00’、地上デジタル音声放送システムと互換の1セグメント形式には‘01’とする。残りの値はリザーブとする。
【００８７】
カレント情報は現在の階層構成及び伝送パラメータを示し、ネクスト情報には切り替え後の伝送パラメータを示し、これらを同時に送るようにしている。これは、カウントダウン中に受信機の電源が投入された場合やチャンネル切り替えを行った場合を想定し、カレント情報を用いることで受信機のレスポンスを向上させることを目的としている。
【００８８】
カレント情報並びにネクスト情報に含まれる後述する伝送パラメータ情報及びフラグ(部分受信フラグ、キャリア変調方式、畳込み符号化率、インターリーブ長、セグメント数)のいずれか一つ以上を切り替える場合には、4ビットの伝送パラメータ切り替え指標をカウントダウンする。後述する緊急警報放送用起動フラグまたは連結送信位相補正量のみを切り替える場合には、伝送パラメータ切り替え指標のカウントダウンは行わない。伝送パラメータ切り替え指標をカウントダウンすることにより、受信機に切り替えを通知しタイミングが取られる。この指標は、通常、‘1111’の値を取るが、伝送パラメータを切り替える場合には、切り替える15フレーム前からフレーム毎に１ずつ減算する。なお、‘0000’の次は、‘1111’に戻るものとする。切り替えタイミングは、‘0000’を送出する次のフレーム同期とする。すなわち、新たな伝送パラメータは、‘1111’に戻ったフレームから適用する。ネクスト情報は、切り替えカウントダウン前において任意の時刻に設定、或いは変更ができるが、カウントダウン中は変更できない。
【００８９】
緊急警報放送用起動フラグの割り当てを図１２に示す。緊急警報放送において、受信機への起動制御が行われている場合には起動フラグを‘1’とし、起動制御が行われていない場合には起動フラグを‘0’とする。
【００９０】
部分受信フラグの説明を図１３に示す。
【００９１】
部分受信フラグは、13セグメント形式において、伝送帯域中央のセグメント(セグメントNo.0)が部分受信用に設定される場合には‘1’に、そうでない場合には‘0’に設定される。セグメントNo.0が部分受信用に設定される場合、その階層は図１０中のA階層として規定される。なお、１セグメント形式の場合、フラグは‘0’に設定される。これは、地上デジタル音声方式がこのフラグを形式識別フラグとしており、1セグメント形式の場合には‘0’、3セグメント形式の場合には‘1’としていることと整合している。また、ネクスト情報が存在しない場合、フラグは‘1’に設定される。
【００９２】
カレント／ネクスト情報に含まれる伝送パラメータ情報を図１４に示す。伝送パラメータ情報において未使用の階層、又はネクスト情報が存在しない場合はそれらのビットを‘１’とする。
【００９３】
連結送信位相補正量の説明を図１５に示す。
【００９４】
連結送信において、受信するセグメントが上隣接セグメントの下端キャリアを基準信号として利用する場合、当該キャリアの位相をシンボル毎に補正するために使用する。連結送信でない場合も含め、位相補正がない場合は‘111’とする。
【００９５】
ＴＭＣＣ情報B20〜B121は、差集合巡回符号（273,191）の短縮符号（184,102）で誤り訂正符号化される。ＴＭＣＣ情報は、伝送パラメータの指定や受信機の制御を行うため、データ信号より高い伝送信頼性が必要である。受信機で連接符号の復号回路を共用することが難しいこと、また、処理遅延の観点からブロック符号が有利なことを考慮し、ＴＭＣＣの誤り訂正符号は差集合巡回符号（273,191）の短縮符号（184,102）である。また、ＴＭＣＣ信号は複数のキャリアで伝送されるため、信号をアナログ加算することにより所要Ｃ/Ｎを下げ、受信性能を向上させることが可能である。これらの誤り訂正技術と加算処理により、ＴＭＣＣ信号はデータ信号より小さなＣ/Ｎで受信可能となる。なお、全てのＴＭＣＣ情報でパリティビットを同じにするため、同期信号とセグメント形式識別の情報を誤り訂正の対象から外し、複数のＴＭＣＣキャリアの全ビットを同一にして、パリティビットを含めたビット毎の多数決を可能にしている。
【００９６】
図１６に図２のデジタル放送送信装置が送信するデジタル放送送信信号のサービスの一実施例を示す。
【００９７】
１６０１はプッシュキャスト放送、１６０２はプッシュキャスト放送とリアルタイム放送の混在放送、１６０３はリアルタイム放送、１６０４はパイロット放送である。
【００９８】
プッシュキャスト放送１６０１とは非時間依存型のファイル型コンテンツが自動的にダウンロードされるサービスである。例えば、電子新聞、音楽、スポーツクリップ、ニュースクリップ、ショッピング、生活情報、グルメ雑誌、料理情報、語学、ドラマ、映画などが考えられる。また、いろいろな情報を検索することができる情報アドレスとリンクしたメニュー(図１６ではWEBと記載)が考えられる。プッシュキャスト放送では事前にコンテンツを配信し、ユーザの都合のよい時間で見れるのが特徴である。
【００９９】
リアルタイム放送１６０３はストリーム型の放送で、「今見ること」が重要な番組が提供される。例えば、ニュース、天気予報、スポーツなどである。ショッピングや教育、プレミアム番組をリアルタイム放送してもよい。
【０１００】
混在放送１６０２とは時間により時間によりリアルタイム放送とプッシュキャスト放送を混在させた放送である。
【０１０１】
パイロット放送１６０４はプッシュキャスト放送１６０１、混在放送１６０２、リアルタイム放送１６０３のサービス全体をナビゲートするものである。また、どのサービスがどのスーパーセグメントのどのサブチャンネル、あるいは、どのＴＳで伝送されているかを示す。従って、パイロット放送１６０４をどの周波数配置で送るかはあらかじめ決めておく必要がある。
【０１０２】
図１７は本発明のデジタル放送送信装置が送信するデジタル放送送信信号のセグメント構成の一実施例を示す説明図である。図１７は図４で説明したセグメント構成例であり、図１７(a)において１７０１はパイロットセグメント、図１７(b)において１７０２はパイロットセグメントである。
【０１０３】
パイロットセグメントはパイロット放送を伝送するセグメントであり、1セグメント形式のセグメント、または13セグメント形式の部分受信セグメントとする。図１７(a)の例では[スーパーセグメント４、中心サブチャンネル番号 1]のセグメントであり、中心周波数は(216+1/7)MHzである。図１７(b)の例では[スーパーセグメント２、中心サブチャンネル番号10]のセグメントであり、中心周波数は(214+6/7)MHzである。この周波数配置は図１７の例ではこの位置に決められている。
【０１０４】
また、図１６のサービスをスーパーセグメントに割り当てる例として、例えば図１７(a)の場合は以下とする。
【０１０５】
スーパーセグメント１：タイプＢ(1セグメント5個)にリアルタイム放送１６０３の5個の番組をそれぞれの1セグメント形式に割り当て、例えば、ＴＳ２をニュース、ＴＳ３を天気、ＴＳ４をショッピング、ＴＳ５をスポーツ、ＴＳ６を教育とする。
【０１０６】
スーパーセグメント２：タイプＢ(1セグメント1個)にリアルタイム放送１６０３の1個の番組を1セグメント形式に割り当て、ＴＳ７をプレミアムとする。
【０１０７】
スーパーセグメント３：タイプＡ(13セグメント1個)にプッシュキャスト放送１６０１を割り当て、ＴＳ１とする。
【０１０８】
スーパーセグメント４：タイプＢ(1セグメント1個)にパイロット放送１６０４をパイロットセグメントとして割り当て、ＴＳ８とする。
【０１０９】
スーパーセグメント５：タイプＡ(13セグメント1個)に混在放送１６０２を割り当て、ＴＳ９とする。
【０１１０】
また図１７(b)の場合は以下とする。
【０１１１】
スーパーセグメント１：タイプＡ(13セグメント1個)に混在放送１６０２を割り当て、ＴＳ１とする。
【０１１２】
スーパーセグメント２：タイプＢ(1セグメント7個)にリアルタイム放送１６０３の6個の番組と、パイロットセグメントとしてパイロット放送１６０４をそれぞれ1セグメント形式に割り当て、例えば、ＴＳ２をニュース、ＴＳ３を天気、ＴＳ４をショッピング、ＴＳ５をパイロット放送１６０４、ＴＳ６をスポーツ、ＴＳ７を教育、ＴＳ８をプレミアムとする。
【０１１３】
スーパーセグメント３：タイプＡ(13セグメント1個)にプッシュキャスト放送１６０１を割り当て、ＴＳ９とする。
【０１１４】
なお、この割り当ては図２のマルチメディア信号発生部２０１で行なわれる。
【０１１５】
図１７(a)の例では1セグメント形式１個のタイプＢスーパーセグメントをパイロットセグメントとし、図１７(b)の例では1セグメント形式7個連結のタイプＢスーパーセグメントのなかの一つのセグメントをパイロットセグメントとしている。したがって、図１７(a)の例ではスーパーセグメント単位に処理を行う場合に適しており、図１７(b)の例ではＴＳ単位で処理を行う場合に適している特徴がある。
【０１１６】
図１８はパイロット放送で伝送されるパイロット情報の一例である番組情報の構成例である。番組情報には、その番組を表す番組識別、その番組がリアルタイム放送なのかプッシュキャスト放送なのかパイロット放送なのかを示す放送種類、それが放送される日時、そして、その番組を放送する事業者を表す事業者識別がある。さらにその番組を受信側で選局するために、どのセグメントで送られているかを示す情報が必要である。前記［式１］で示したように、スーパーセグメントの配置される物理チャンネルの開始周波数と中心サブチャンネル番号がわかれば送られてきているセグメントの中心周波数は確定する。さらに、受信側ではそのセグメントが13セグメント形式か1セグメント形式かのスーパーセグメント種類の情報が必要である。
【０１１７】
図１８(a)は番組情報を［日時、番組識別、放送種類、事業者識別、スーパーセグメント番号、スーパーセグメント種類、物理チャンネル、中心サブチャンネル］とする。物理チャンネルは図１７(a)や図１７(b)のようにあらかじめ決まっていれば物理チャンネル番号のみを示すだけでいい。もちろん、物理チャンネルの周波数そのものや、物理チャンネルの開始の周波数または終了の周波数だけを示してもよい。物理チャンネルの帯域幅は6MHzと決まっているからである。
【０１１８】
図１８ではスーパーセグメント種類をタイプＡ、タイプＢと示すだけでなく、タイプＡの場合はこの番組が部分受信階層に入っているかどうかを示す部分受信フラグを設け、また、タイプＢの場合は１セグメント形式の連結数も示す。
【０１１９】
部分受信フラグを見ることで、選局してＴＭＣＣ情報をみなくても、この番組が後述する1セグメント形式の受信機で受信可能かどうか判断できる効果がある。
【０１２０】
また、タイプＢの場合は１セグメント形式の連結数を示すことで１セグメント形式のスーパーセグメント構成が確認でき、スーパーセグメント番号でスーパーセグメント構成を確定できる効果がある。
【０１２１】
さらにまた、放送種類に"パイロット"を有することで、パイロットセグメント以外に番組宣伝などのパイロット放送を行うことができる。
【０１２２】
図１８(a)の例では、番組情報を抽出するだけでその番組が送られているセグメントの中心周波数やスーパーセグメント構成を求めることができる効果がある。
【０１２３】
図１８(b)は図１８(a)のスーパーセグメント番号、スーパーセグメント種類、物理チャンネル、サブチャンネルのかわりにＴＳ番号を番組情報として送るようにしたものである。図２で説明したように、ＴＳ番号はスーパーセグメント番号、スーパーセグメント種類、サブチャンネルで表すことができ、また、物理チャンネルの開始周波数と中心サブチャンネル番号で中心周波数を確定できる。別情報としてこのＴＳ情報をパイロット情報として伝送する。
【０１２４】
図１８(b)の例ではＴＳ番号と、番組識別および事業者識別を関連付けることが容易であり、特にＴＳごとに事業者を割り当てる場合に便利である。
【０１２５】
図１８(c)は番組情報に直接受信側での選局周波数を示したものである。選局周波数とスーパーセグメント種類がわかれば後述する受信機で受信可能かどうか判断できる。
【０１２６】
図１８(c)の例では番組情報を見るだけで、直接番組を受信機が選局でき、選局動作が容易となる効果がある。
【０１２７】
また、図１８のパイロット情報の送り方をすれば、スーパーセグメント構成がある日時から変わることになるとしても、ある日時からの番組情報の設定をスーパーセグメント構成が変更した内容に追従して変更すれば、受信機側がスーパーセグメント構成の変更を意識することがなく受信することができる効果がある。ただし、パイロットセグメントの位置(周波数配置)は変更してはいけない。
【実施例２】
【０１２８】
図１９に本発明に係る実施形態２におけるデジタル放送受信装置の構成を示すブロック図である。図１９のデジタル放送受信装置は図２のデジタル放送送信装置から送信されたデジタル放送送信信号を受信するものである。
【０１２９】
１９２６はデジタル放送受信装置である。
【０１３０】
１９０１はアンテナ、１９０２は選局部、１９０３は直交復調部、１９０４は高速フーリエ変換(以下、ＦＦＴ)部、１９０５はＦＦＴ部１９０４以降ＴＳ出力までのデジタル放送送信信号の復調・復号動作を行う復調復号部、１９０６は同期再生部、１９０７はフレーム抽出部、１９０８はＴＭＣＣ復号部であり、復調復号部１９０５の動作を行うための同期信号再生や、伝送パラメータなどの情報入手を行う。
【０１３１】
選局１９０２からＴＭＣＣ復号部１９０８まででフロント・エンド (以下、Ｆ／Ｅ)部１９２４を構成する。
【０１３２】
１９２８はデスクランブル１部、１９２９はデスクランブル２部、１９０９はデマックス部、１９１０は圧縮された放送音声信号のデコード部、１９１１はデコードされた放送音声信号の出力を行う音声出力部、１９１２は圧縮された放送映像信号のデコード部、１９１３は表示画面を構成する提示処理部、１９１４はデコードされた放送映像信号の表示を行う映像出力部、１９１５はＰＳＩ(Program Specific Information)／ＳＩ(Service Information)などのシステム情報を取り扱うシステムデコード部である。
【０１３３】
デスクランブル１部１９２８、デスクランブル２部１９２９、デマックス部１９０９からシステムデコード部１９１５まででバック・エンド (以下、Ｂ／Ｅ)部１９２５を構成する。
【０１３４】
１９１６は書き換え可能タイプ不揮発性メモリ(以下、ＮＶＲＡＭ)、１９１７はフォントなどのＲＯＭ(Read Only Memory)、１９１８は主メモリであるＲＡＭ(Random Access Memory)、１９１９は通信回線インターフェース(以下Ｉ／Ｆ)、１９２０は入出力部(以下、Ｉ／Ｏ)、１９２１はシステムバス、１９２２は中央演算処理部(以下、ＣＰＵ)、１９２３はリモコンなどの操作用のボタン、１９３０はライセンス情報を管理するCAS(Conditional Access System)、１９３１は記録媒体、１９２７はリムーバブルメディアである。
【０１３５】
リアルタイム放送の場合、アンテナ１９０１によりデジタル放送受信装置１９２６に入力されたデジタル放送送信信号は、Ｆ／Ｅ部１９２４によりＴＳ(トランスポートストリーム)に変換される。復調されたＴＳは、デスクランブル１部１９２８により、CAS１９３０に格納されたライセンス情報を利用して、暗号化データが選択的に復号される。ライセンス情報は、ネットワークを経由して通信I／F１９１９により供給されてもよいし、リムーバブルメディア１９２７により供給されてもよい。復号されたＴＳは、デマックス部１９０９により、映像、音声、その他データに分離され、映像ストリームは映像デコード部１９１２へ、音声ストリームは音声デコード部１９１０へ出力される。デコードされた映像信号は提示処理部１９１３で表示画面を構成され、映像出力１９１４で出力される。デコードされた音声信号は音声出力１９１１で出力される。
【０１３６】
プッシュキャスト放送の場合、アンテナ１９０１によりデジタル放送受信装置１９２６に入力されたデジタル放送送信信号は、Ｆ／Ｅ部によりＴＳ(トランスポートストリーム)に変換される。復調されたＴＳは、デスクランブル１部１９２８に入力されるが、ここでは復号を行わない。続いて入力されたデマックス部１９０９で、蓄積するコンテンツに関するデータのみを分離し、記録媒体１９３１に蓄積する。
【０１３７】
アクセス制御共通情報および、アクセス制御個別情報が放送波経由で配信された場合は、デマックス部１９０９で分離して記録媒体１９３１に蓄積しておく。アクセス制御共通情報および、アクセス制御個別情報がネットワーク経由で配信される場合は、再生前もしくは再生時に通信I/F１９１９を経由して取得し、記録媒体１９３１に蓄積しておく。アクセス制御共通情報および、アクセス制御個別情報がネットワーク経由で配信される場合は、再生前もしくは再生時にI/O１９２０を経由して取得し、記録媒体１９３１に蓄積しておく。
【０１３８】
再生時には、記録媒体１９３１から再生するコンテンツに関するデータを読み出してデスクランブル２部１９２９に入力し、記録媒体１９３１に蓄積しておいたアクセス制御共通情報および、アクセス制御個別情報を利用して、暗号化データを選択的に復号する。復号されたＴＳは、デマックス部１９０９により、映像、音声、その他データに分離され、映像ストリームは映像デコード部１９１２へ、音声ストリームは音声デコード部１９１０へ出力される。デコードされた映像信号は提示処理部１９１３で表示画面を構成され、映像出力１９１４で出力される。デコードされた音声信号は音声出力１９１１で出力される。
【０１３９】
以上の動作はＣＰＵ１９２２が、システムバス１９２１を介し、Ｆ／Ｅ部１９２４やＢ／Ｅ部１９２５の各ブロックに対して制御を行なうことで、デジタル放送受信装置１９２６は通常の映像、音声の再生を行う。
【０１４０】
データ放送受信時は、一旦データをＲＡＭ１９１８、あるいはＮＶＲＡＭ１９１６等へ転送し、ＣＰＵ１９２２による処理を行う。また通常の映像、音声の再生処理だけでなく、文字図形の提示と同時にＲＡＭ１９１８上のデータを映像、音声デコーダへ転送し、映像、音声の再生処理を行う様な処理を行なう。また、通信Ｉ／Ｆ１９１９を用いデジタル放送受信装置１９２６外部と情報のやり取りを行なう。
【０１４１】
デジタル放送受信装置の操作は、Ｉ／Ｏ１９２０を介し、ボタン１９２３で行なうことが可能である。
【０１４２】
図２０にデジタル放送受信装置の種類を示す。
【０１４３】
図２のデジタル放送送信装置からのデジタル放送送信信号には13セグメント形式のスーパーセグメントと1セグメント形式のスーパーセグメントがある。これらのそれぞれを受信できる受信機が定義できるが、さらに、13セグメント形式と1セグメント形式の両方を受信できる13/1セグメント形式受信と、1セグメント形式に加え13セグメント形式の部分受信階層のみが受信できる部分受信/1セグメント形式受信が定義できる。図１９のデジタル放送受信装置１９２６は、13/1セグメント形式受信、または、部分受信/1セグメント形式受信のどちらかとする。
【０１４４】
図２１に13/1セグメント形式受信の場合の復調復号部１９０５の構成を、図２２に部分受信/1セグメント形式受信の場合の復調復号部１９０５の構成を示す。
【０１４５】
２１０１、２２０１はＦＦＴ部１９０４からの出力信号の入力、２１０２、２２０２はキャリア復調部、２１０３、２２０３はデインターリーブ部、２１０４、２２０４はデマッピング部、２１０５、２２０５はビットデインターリーブ部、２１０６、２２０６はデパンクチャ部、２１０７、２２０７はビタビ復号部、２１０８、２２０８はバイトデインターリーブ部、２１０９、２２０９はエネルギー逆拡散部、２１１０、２２１０はＴＳ再生部、２１１１、２２１１はＲＳ(リード・ソロモン)復号部、２１１２、２２１２は復調復号部１９０５の出力である。ビットデインターリーブ部２１０５、デパンクチャ部２１０６、バイトデインターリーブ部２１０８、エネルギー逆拡散部２１０９は、それぞれａ、ｂ、ｃの3階層分あり、２１２１、２１２３は3階層に分割する階層分割部、２１２２は階層を合成する階層合成部である。
【０１４６】
まず、13/1セグメント形式受信の場合の動作を図２１、図１９を使用して説明する。
【０１４７】
アンテナ１９０１で受信されたデジタル放送送信信号から選局部１９０２で受信すべきチャネル周波数帯域が抽出され、直交復調部１９０３でチャンネル選択された信号が直交復調されベースバンド信号とされ、ＦＦＴ部１９０４で周波数軸処理に変換され、ＯＦＤＭシンボルのうち、有効シンボルに相当する期間についてＦＦＴが実施される。その際、受信信号のマルチパスの状況が考慮され、適切な期間でＦＦＴ処理が実施される。これを受け、復調復号部１９０５では、キャリア復調部２１０２で周波数軸上の各キャリアに対して復調処理が行われ(例えば、ＱＰＳＫ、１６ＱＡＭ、６４ＱＡＭ用にスキャッタードパイロット(ＳＰ)を用いた同期復調を行い、振幅、及び位相情報を検出する)、デインターリーブ部２１０３で周波数軸及び時間軸のデインターリーブ、デマッピング部２１０４でデマッピングされ、階層分割部２１２１で各階層に分割されそれぞれビットデインターリーブ部２１０５ａ、ｂ、ｃでビットデインターリーブ、デパンクチャ部２１０６ａ、ｂ、ｃでデパンクチャ、階層合成部２１２２で合成してビタビ復号部２１０７でビタビ復号、階層分割部２１２１で各階層に分割されバイトデインターリーブ部２１０８でバイトデインターリーブ、エネルギー逆拡散部２１０９でエネルギー逆拡散が行われ、ＴＳ再生部２１１０でＴＳ再生され、ＲＳ復号部２１１１で誤り訂正が施されてデジタル放送信号が復調され、例えば、ＭＰＥＧ２システムズに規定されるトランスポートストリーム(ＴＳ)信号がデスクランブル１部１９２８および、デマックス部１９０９に出力される。ここで、１セグメント形式の信号を受信する場合と13セグメント形式の受信をする場合では、ＴＭＣＣ復号部１９０８で復号されたＴＭＣＣ信号の図１１で示したシステム識別でシステムを識別し、地上デジタル音声放送システムの場合に1セグメント形式を、地上デジタルテレビジョン放送システムの場合に13セグメント形式の受信の処理を行なう(主に図１３で示した部分受信フラグの取り扱い)。さらに、１セグメント形式の信号を受信する場合は、階層分割２１２１、２１２３で階層分割を行なわず、例えばａ系統のブロックを用いて処理を行なう。階層分割を行なっていないので階層合成２１２２での階層合成も必要ない。部分受信階層を受信する場合、１セグメント形式の場合と同じようにａ系統のみを用いて処理してもいいし、３階層に分割してそのうちの１系統を部分受信階層として処理してもよい。１セグメント形式および部分受信のみの受信の場合、選局１９０２のチャネル周波数帯域を１セグメント分として抽出してもよい。
【０１４８】
次に、部分受信/1セグメント形式受信の場合の動作を図２２、図１９を使用して説明する。
【０１４９】
アンテナ１９０１で受信されたデジタル放送送信信号から選局部１９０２で受信すべきチャネル周波数帯域、この場合、１セグメント分の周波数帯域が抽出され、直交復調部１９０３でチャンネル選択された信号が直交復調されベースバンド信号とされ、ＦＦＴ部１９０４で周波数軸処理に変換され、ＯＦＤＭシンボルのうち、有効シンボルに相当する期間についてＦＦＴが実施される。その際、受信信号のマルチパスの状況が考慮され、適切な期間でＦＦＴ処理が実施される。これを受け、復調復号部１９０５では、キャリア復調部２２０２で周波数軸上の各キャリアに対して復調処理が行われ(例えば、ＱＰＳＫ、１６ＱＡＭ、６４ＱＡＭ用にスキャッタードパイロット(ＳＰ)を用いた同期復調を行い、振幅、及び位相情報を検出する)、デインターリーブ部２２０３で周波数軸及び時間軸のデインターリーブ、デマッピング部２２０４でデマッピングされビットデインターリーブ部２２０５でビットデインターリーブ、デパンクチャ部２２０６でデパンクチャ、ビタビ復号部２２０７でビタビ復号、バイトデインターリーブ部２２０８でバイトデインターリーブ、エネルギー逆拡散部２２０９でエネルギー逆拡散が行われ、ＴＳ再生部２２１０でＴＳ再生され、ＲＳ復号部２２１１で誤り訂正が施されてデジタル放送信号が復調され、例えば、ＭＰＥＧ２システムズに規定されるトランスポートストリーム(ＴＳ)信号がデスクランブル１部１９２８および、デマックス部１９０９に出力される。ここで、１セグメント形式の信号を受信する場合と13セグメント形式の部分受信をする場合では、ＴＭＣＣ復号部１９０８で復号されたＴＭＣＣ信号の図１１で示したシステム識別でシステムを識別し、地上デジタル音声放送システムの場合に1セグメント形式を、地上デジタルテレビジョン放送システムの場合に13セグメント形式の部分受信の処理を行なう(主に図１３で示した部分受信フラグの取り扱い)。
【０１５０】
図１９のＦ／Ｅ部１９２４のその他のブロックを説明する。
【０１５１】
同期再生部１９０６では直交復調部１９０３からのベースバンド信号を受け、モード、ガードインターバル長に応じてＯＦＤＭシンボル同期信号及びＦＦＴサンプル周波数が再生される。モード、ガードインターバル長が未知の場合には、ＯＦＤＭ信号のガード期間の相関性等により判別することもできる。さらにＦＦＴ部１９０４の出力信号からＴＭＣＣ信号の周波数位置が検出される。フレーム抽出部１９０７では検出された周波数位置のＴＭＣＣ信号が復調されるとともにＴＭＣＣ信号からフレーム同期信号が抽出される。フレーム同期信号は同期再生部１９０６に出力され、シンボル同期信号との位相調整が行われる。ＴＭＣＣ復号部１９０８では復調されたＴＭＣＣ信号に差集合巡回符号の誤り訂正が施され、階層構造、伝送パラメータなどＴＭＣＣ情報が抽出される。このＴＭＣＣ情報は復調復号部１９０５に出力され、復調復号処理の各種制御情報として利用される。連結送信信号ではセグメント間に位相差があるため、復調に上隣接セグメント下端のキャリアを使用する同期変調セグメントの受信については、上隣接セグメント下端のキャリア位相を補正しなければならない。
【０１５２】
ＴＭＣＣ復号部１９０８は、緊急警報放送を受信しようとしているときには常に動作しており、図１２で示した緊急警報放送用起動フラグを監視している。なお、このとき、選局部１９０２、直交復調部１９０３、ＦＦＴ部１９０４、同期再生部１９０６、フレーム抽出部１９０７は常に動作している。選局部１９０２、直交復調部１９０３、ＦＦＴ部１９０４、同期再生部１９０６、フレーム抽出部１９０７の動作は緊急警報放送を受信しようとしているときには13セグメント形式の場合はセグメントNo.0、すなわち部分受信部分のみの処理を行うのみでよい。これにより、本デジタル放送の13セグメント全帯域を処理するよりも低消費電力動作とすることができる。1セグメント形式の場合は1セグメント帯域のみでよい。
【０１５３】
図１９のＢ／Ｅ部１９２５を説明する。
【０１５４】
デスクランブル１部１９２８および、デマックス部１９０９では著作権保護のためにスクランブルのかけられているＴＳ信号のスクランブルが解除され、希望された圧縮された放送映像信号や圧縮された放送音声信号のデジタル信号が抽出されデコード部１９１０、１９１２、１９１５に出力される。デコード部１９１２では圧縮された放送映像信号が、デコード部１９１０では圧縮された放送音声信号がデコードされ、デコードされた映像信号は提示処理部１９１３で表示画面を構成され、映像出力部１９１４に、デコードされた音声信号は音声出力部１９１１に出力される。
【０１５５】
次に、図１６、図１７、図１８のパイロット放送、パイロットセグメント、パイロット情報の場合の受信動作を図１９、図２３を用い説明する。
【０１５６】
ステップ２３０１で受信動作を開始する。受信動作はＣＰＵ１９２２がシステムバス１９２１を介して各ブロックを制御する。
【０１５７】
ステップ２３０２でまず決められた周波数位置にあるパイロットセグメント１７０１または１７０２を選局部１９０２は選局する。
【０１５８】
ステップ２３０３でＦ／Ｅ部１９２４によりＴＳを復調し、デスクランブル１部１９２８および、デマックス部１９０９により図１８のパイロット情報を抽出し、システムデコード部１９１５によりデコードする。
【０１５９】
ステップ２３０４で抽出したパイロット情報からサービス選局表を作成し、記憶する。
【０１６０】
図２４にサービス選局表の一例を示す。事業者識別、放送種類、日時、番組種別で整理され、リアルタイム放送の番組やプッシュキャスト放送のコンテンツ別にそれぞれ選局周波数とスーパセグメント種類が割り当てられる。選局周波数は中心サブチャンネルの中心周波数である。また、スーパセグメント種類がタイプＡ(13セグメント形式)の場合は、番組やコンテンツが部分受信階層にあるかどうかが示される("○"：部分受信階層、"×"：部分受信以外の階層)。
【０１６１】
ステップ２３０５でリアルタイム放送、プッシュキャスト放送、ダウンロード済みのサービス表が表示される。一般的にリアルタイム放送のサービス表が優先的に表示され、プッシュキャスト放送やダウンロード済みのサービス表はメニューなどでユーザが選択する。
【０１６２】
図２５にサービス表の一例を示す。図２５(a)はリアルタイム放送、図２５(b)はプッシュキャスト放送、図２５(c)はダウンロード済みの場合の例である。
【０１６３】
図２５(a)では現在の時間に放送されている番組が表示される。部分受信/1セグメント形式受信の場合には、タイプＡ(13セグメント形式)で部分受信セグメント以外の階層で番組が伝送されている場合には受信できないので、そのような表記をしてその番組を選択できないようにする。
【０１６４】
ステップ２３０６で視聴したい番組を選択する。なお、年月日、時間、事業者で番組検索をかける機能を有していてもよい。
【０１６５】
ステップ２３０７で選択した番組を選局する。図２４のサービス選局表により、選局部１９０２を選局周波数とし、タイプＡで部分受信以外で伝送されている場合はチャネル周波数帯域を13セグメントの帯域としＦ／Ｅ部１９２４は13セグメント形式復調を行なう。タイプＡで部分受信で伝送されている場合とタイプＢの場合はチャネル周波数帯域を1セグメントの帯域としＦ／Ｅ部１９２４は部分受信の場合は部分受信復調、タイプＢの場合は1セグメント形式復調を行なう。
【０１６６】
ステップ２３０８で番組が出力される。
【０１６７】
図２５(b)は現在ダウンロード可能なコンテンツが表示される。ステップ２３０９でダウンロードしたいコンテンツを選択する。このとき、すでにダウンロード済みのコンテンツは"ダウンロード済"と表示して選択できないようにする。
【０１６８】
ステップ２３１０でダウンロード予約となる。ダウンロードの時間になれば、ステップ２３１１で選局部１９０２は図２４のサービス選局表により予約したコンテンツを選局周波数とし、タイプＡで部分受信以外で伝送されている場合はチャネル周波数帯域を13セグメントの帯域としＦ／Ｅ部１９２４は13セグメント形式復調を行なう。タイプＡで部分受信で伝送されている場合とタイプＢの場合はチャネル周波数帯域を1セグメントの帯域としＦ／Ｅ部１９２４は部分受信の場合は部分受信復調、タイプＢの場合は1セグメント形式復調を行なう。
【０１６９】
ステップ２３１２でダウンロードされる。
【０１７０】
図２５(c)はすでにダウンロードしたコンテンツが表示される。ステップ２３１３で再生選択し、ステップ２３１４で出力される。なお、ダウンロードのサービス表はステップ２３０１の開始時に選択できるようにしてもよい。
【０１７１】
以上、図２３、２４、２５のデジタル放送受信方法によれば、デジタル放送送信信号のセグメント構成を意識することなく受信することができる効果がある。
【実施例３】
【０１７２】
図２６は本発明に係る実施形態３におけるデジタル放送送信装置が送信するデジタル放送送信信号のサービス構成の一実施例を示す説明図である。
【０１７３】
２６０１はプッシュキャスト放送、２６０２はプッシュキャスト放送とリアルタイム放送の混在放送、２６０３はリアルタイム放送、２６０４はプッシュキャスト放送のパイロット放送、２６０５はリアルタイム放送のパイロット放送である。図１６との差は、パイロット放送をプッシュキャスト放送とリアルタイム放送でそれぞれ独立して設けたことである。図１６と同様に、パイロット放送２６０４、２６０５をどの周波数配置で送るかはあらかじめ決めておく必要がある。
【０１７４】
図２７は本発明のデジタル放送送信装置が送信するデジタル放送送信信号のセグメント構成の一実施例を示す説明図である。図２７は図２で説明したセグメント構成例であり、図２７(a)において２７０１はリアルタイム放送用のパイロットセグメント、２７０２はプッシュキャスト放送用のパイロットセグメントであり、図２７(b)において２７０３はリアルタイム放送用のパイロットセグメント、２７０４はプッシュキャスト放送用のパイロットセグメントである。
【０１７５】
パイロットセグメントはパイロット放送を伝送するセグメントであり、1セグメント形式のセグメント、または13セグメント形式の部分受信セグメントとする。図２７(a)の例で、リアルタイム放送用のパイロットセグメント２７０１は[スーパーセグメント２、中心サブチャンネル番号 1]のセグメント、中心周波数は(210+1/7)MHzであり、プッシュキャスト放送用のパイロットセグメント２７０２は[スーパーセグメント４、中心サブチャンネル番号 1]のセグメント、中心周波数は(216+1/7)MHzである。図２７(b)の例ではリアルタイム放送用のパイロットセグメント２７０３は[スーパーセグメント２、中心サブチャンネル番号1]のセグメント、中心周波数は(213+4/7)MHzであり、プッシュキャスト放送用のパイロットセグメント２７０４は[スーパーセグメント２、中心サブチャンネル番号19]のセグメント、中心周波数は(216+1/7)MHzである。この周波数配置は図２７の例ではこの位置に決められている。
【０１７６】
また、図２６のサービスをスーパーセグメントに割り当てる例として、例えば図２７(a)の場合は以下とする。
【０１７７】
スーパーセグメント１：タイプＢ(1セグメント5個)にリアルタイム放送２６０３の5個の番組をそれぞれの1セグメント形式に割り当て、例えば、ＴＳ２をニュース、ＴＳ３を天気、ＴＳ４をショッピング、ＴＳ５をスポーツ・プレミアム、ＴＳ６を教育とする。
【０１７８】
スーパーセグメント２：タイプＢ(1セグメント1個)にリアルタイム放送用のパイロット放送２６０５をリアルタイム放送用のパイロットセグメントとして割り当て、ＴＳ７とする。
【０１７９】
スーパーセグメント３：タイプＡ(13セグメント1個)に混在放送２６０２を割り当て、ＴＳ１とする。
【０１８０】
スーパーセグメント４：タイプＢ(1セグメント1個)にプッシュキャスト放送用のパイロット放送２６０４をプッシュキャスト放送用のパイロットセグメントとして割り当て、[ＴＳ８とする。
【０１８１】
スーパーセグメント５：タイプＡ(13セグメント1個)にプッシュキャスト放送２６０１を割り当て、ＴＳ９とする。
【０１８２】
また、図２７(b)の場合は以下とする。
【０１８３】
スーパーセグメント１：タイプＡ(13セグメント1個)に混在放送２６０２を割り当て、ＴＳ１とする。
【０１８４】
スーパーセグメント２：タイプＢ(1セグメント7個)にリアルタイム放送２６０３の5個の番組とリアルタイム放送用のパイロット放送２６０５とプッシュキャスト放送用のパイロット放送２６０４をそれぞれの1セグメント形式に割り当て、例えば、ＴＳ２をリアルタイム放送用のパイロット放送２６０５、ＴＳ３をニュース、ＴＳ４を天気、ＴＳ５をショッピング、ＴＳ６をスポーツ・プレミアム、ＴＳ７を教育、ＴＳ８をプッシュキャスト放送用のパイロット放送２６０４とする。
【０１８５】
スーパーセグメント３：タイプＡ(13セグメント1個)にプッシュキャスト放送２６０１を割り当て、ＴＳ９とする。
【０１８６】
なお、この割り当ては図２のマルチメディア信号発生部２０１で行なわれる。
【０１８７】
図２８はパイロット放送で伝送されるパイロット情報の一例である番組情報の構成例である。図１８との違いは番組情報を（１）リアルタイム放送情報と（２）プッシュキャスト放送情報とに分け、それぞれリアルタイム放送用のパイロット放送、プッシュキャスト放送用のパイロット放送で伝送することである。また、図２８の例では（３）パイロット放送情報を設け、リアルタイム放送用のパイロット放送、プッシュキャスト放送用のパイロット放送で伝送し、それぞれがリアルタイム放送用のパイロット放送かプッシュキャスト放送用のパイロット信号かを示す。
【０１８８】
図２７、図２８の例ではリアルタイム放送用とプッシュキャスト放送用の番組情報が分かれているため、受信側ではそのとき選択した必要な放送の情報だけを得ることが出来、情報を得て図２５で示したサービス表を構築して表示するまでの時間を短縮することが出来る効果がある。また、パイロット放送情報を設けることで、今選択している情報がリアルタイム放送用なのかプッシュキャスト放送用なのかをＢ／Ｅ部１９２５で確認できる効果がある。
【０１８９】
また、図２７のセグメント配置では、プッシュキャスト放送とプッシュキャスト放送用のパイロット放送、混在放送とリアルタイム放送用のパイロット放送、リアルタイム放送とリアルタイム放送用のパイロット放送、さらに、図２７(a)においては混在放送とプッシュキャスト放送用のパイロット放送が、それぞれ隣に配置されているため、受信側でそれぞれのサービスの放送とパイロット放送を一括して受信しやすいという効果がある。
【実施例４】
【０１９０】
図２９に本発明に係る実施形態４におけるデジタル放送受信装置１９２６の受信動作を示すフローチャートである。
【０１９１】
図２６、図２７、図２８のパイロット放送、パイロットセグメント、パイロット情報の場合の受信動作を図１９、図２９を用い説明する。図２３と同一符号は同一機能を表す。
【０１９２】
ステップ２９０１で受信動作を開始する。受信動作はＣＰＵ１９２２がシステムバス１９２１を介して各ブロックを制御する。
【０１９３】
ステップ２９０６でまずリアルタイム放送、プッシュキャスト放送、ダウンロード済みを選択する。
【０１９４】
ダウンロード済みを選択した場合は図２５(c)のすでにダウンロードしたコンテンツが表示され、ステップ２３１３で再生選択し、ステップ２３１４で出力される。
【０１９５】
リアルタイム放送またはプッシュキャスト放送を選択した場合は、リアルタイム放送の場合はステップ２９０２ａ、２９０３ａ、２９０４ａ、２９０５ａ、２３０６、２３０７、２３０８を、プッシュキャスト放送の場合はステップ２９０２ｂ、２９０３ｂ、２９０４ｂ、２９０５ｂ、２３０９、２３１０を選択する。
【０１９６】
まず、リアルタイム放送を選択した場合を説明する。
【０１９７】
ステップ２９０２ａでまず決められた周波数位置にあるリアルタイム放送用のパイロットセグメント２７０１または２７０３を選局部１９０２は選局する。リアルタイム放送用のパイロットセグメントであることはパイロット放送情報で確認できる。
【０１９８】
ステップ２９０３ａでＦ／Ｅ部１９２４によりＴＳを復調し、デスクランブル１部１９２８および、デマックス部１９０９により図２８のリアルタイム放送用のパイロット情報であるリアルタイム放送情報を抽出し、システムデコード部１９１５によりデコードする。
【０１９９】
ステップ２９０４ａで抽出したリアルタイム放送情報からリアルタイム放送用のサービス選局表を作成し、記憶する。
【０２００】
図３０(a)にリアルタイム放送用のサービス選局表の一例を示す。事業者識別、日時、番組種別で整理され、リアルタイム放送の番組別にそれぞれ選局周波数とスーパセグメント種類が割り当てられる。選局周波数は中心サブチャンネルの中心周波数である。また、スーパセグメント種類がタイプＡ(13セグメント形式)の場合は、番組やコンテンツが部分受信階層にあるかどうかが示される("○"：部分受信階層、"×"：部分受信以外の階層)。
【０２０１】
ステップ２９０５ａでリアルタイム放送のサービス表が表示される。
【０２０２】
図２５(a)にリアルタイム放送用のサービス表の一例を示す。以下は図２３で説明したとおりである。
【０２０３】
次に、プッシュキャスト放送を選択した場合を説明する。
【０２０４】
ステップ２９０２ｂでまず決められた周波数位置にあるプッシュキャスト放送用のパイロットセグメント２７０２または２７０４を選局部１９０２は選局する。プッシュキャスト放送用のパイロットセグメントであることはパイロット放送情報で確認できる。
【０２０５】
ステップ２９０３ｂでＦ／Ｅ部１９２４によりＴＳを復調し、デスクランブル１部１９２８および、デマックス部１９０９により図２８のプッシュキャスト放送用のパイロット情報であるプッシュキャスト放送情報を抽出し、システムデコード部１９１５によりデコードする。
【０２０６】
ステップ２９０４ａで抽出したプッシュキャスト放送情報からプッシュキャスト放送用のサービス選局表を作成し、記憶する。
【０２０７】
図３０(b)にプッシュキャスト放送用のサービス選局表の一例を示す。事業者識別、日時、番組種別で整理され、プッシュキャスト放送のコンテンツ別にそれぞれ選局周波数とスーパセグメント種類が割り当てられる。選局周波数は中心サブチャンネルの中心周波数である。また、スーパセグメント種類がタイプＡ(13セグメント形式)の場合は、番組やコンテンツが部分受信階層にあるかどうかが示される("○"：部分受信階層、"×"：部分受信以外の階層)。
【０２０８】
ステップ２９０５ｂでプッシュキャスト放送のサービス表が表示される。
【０２０９】
図２５(b)にプッシュキャスト放送のサービス表の一例を示す。以下は図２３で説明したとおりである。
【０２１０】
以上、図２９、３０のデジタル放送受信方法によれば、デジタル放送送信信号のセグメント構成を意識することなく受信することができる効果がある。また、リアルタイム放送用とプッシュキャスト放送用の番組情報が分かれているため、そのとき選択した必要な放送の情報だけを得ることが出来、情報を得て図２５で示したサービス表を構築して表示するまでの時間を短縮することが出来る効果がある。また、パイロット放送情報を設けることで、今選択している情報がリアルタイム放送用なのかプッシュキャスト放送用なのかをＢ／Ｅ部１９２５で確認できる効果がある。
【０２１１】
また、２９０２ａ、ｂでパイロットセグメントを選局するときに、プッシュキャスト放送とプッシュキャスト放送用のパイロット放送、混在放送とリアルタイム放送用のパイロット放送、リアルタイム放送とリアルタイム放送用のパイロット放送、さらに、図２７(a)においては混在放送とプッシュキャスト放送用のパイロット放送が、それぞれ隣に配置されているため、受信側でそれぞれのサービスの放送とパイロット放送を一括して受信すれば、ステップ２３０７での選局やダウンロード時の選局の時間を短縮できる効果がある。
【実施例５】
【０２１２】
図３１は本発明に係る実施形態５におけるデジタル放送送信装置が送信するデジタル放送送信信号のサービス構成の一実施例を示す説明図である。
【０２１３】
３１０１、３１０２、３１０３はプッシュキャスト放送やリアルタイム放送、また、それらの放送のパイロット情報を有するパイロット放送で構成された放送サービス群である。図１６との差は、プッシュキャスト放送、混在放送、リアルタイム放送という切り分けではなく、基本的に混在放送を行なう放送サービス群とし、その放送サービス群にパイロット放送を設け、パイロット放送はそのサービス群の中だけの放送のパイロット情報を有することである。
【０２１４】
図３２は本発明のデジタル放送送信装置が送信するデジタル放送送信信号のセグメント構成の一実施例を示す説明図である。図２７は図４(b)で説明したセグメント構成例であり、３２０１は放送サービス群３１０１のパイロットセグメント、３２０２は放送サービス群３１０３のパイロットセグメント、３２０３は放送サービス群３１０２のパイロットセグメントである。
【０２１５】
パイロットセグメントはパイロット放送を伝送するセグメントであり、1セグメント形式のセグメント、または13セグメント形式の部分受信セグメントとする。図３２の例で、放送サービス群３１０１のパイロットセグメント３２０１は[スーパーセグメント１、中心サブチャンネル番号22]の13セグメント形式の部分受信セグメント、中心周波数は(210+4/7)MHzであり、放送サービス群３１０３のパイロットセグメント３２０２は[スーパーセグメント２、中心サブチャンネル番号10]のセグメント、中心周波数は(214+6/7)MHzであり、放送サービス群３１０２のパイロットセグメント３２０３は[スーパーセグメント３、中心サブチャンネル番号22]の13セグメント形式の部分受信セグメント、中心周波数は(219+1/7)MHzである。この周波数配置は図３２の例ではこの位置に決められている。
【０２１６】
また、図３１のサービスを図３２のスーパーセグメントに割り当てる例を以下とする。
【０２１７】
スーパーセグメント１：タイプＡ(13セグメント1個)に放送サービス群３１０１を割り当て、ＴＳ１とする。
【０２１８】
スーパーセグメント２：タイプＢ(1セグメント7個)に放送サービス群３１０３をそれぞれの1セグメント形式に割り当て、ＴＳ２をニュース(リアルタイム放送)、ＴＳ３を天気(リアルタイム放送)、ＴＳ４をスポーツ(リアルタイム放送)、ＴＳ５をパイロット放送、ＴＳ６を教育(リアルタイム放送)、ＴＳ７をショッピング(プッシュキャスト放送)、ＴＳ８をプレミアム(プッシュキャスト放送)とする。
【０２１９】
スーパーセグメント３：タイプＡ(13セグメント1個)に放送サービス群３１０２を割り当て、ＴＳ９とする。
【０２２０】
すなわち、それぞれの放送サービス群をスーパーセグメントに割り当てる。なお、この割り当ては図２のマルチメディア信号発生部２０１で行なわれる。
【０２２１】
図３３はパイロット放送で伝送されるパイロット情報の一例である番組情報の構成例である。図１８との違いは番組情報を（１）スーパーセグメント１情報、（２）スーパーセグメント２情報、（３）スーパーセグメント３情報とに分け、それぞれのスーパーセグメント内の放送の情報をそれぞれのスーパーセグメント内のパイロット放送で伝送することである。
【０２２２】
図３２、図３３の例では放送サービス群をスーパーセグメントに割り当て、スーパーセグメントごとにパイロット放送するパイロットセグメントを設け番組情報を伝送しているため、受信側ではスーパーセグメント単位で番組情報を管理すればいいので、そのとき選択した必要なスーパーセグメントの情報だけを得ることが出来、情報を得て図２５で示したサービス表を構築して表示するまでの時間を短縮することが出来る効果がある。
【０２２３】
また、図３２のセグメント配置では、13セグメント形式の受信のできる受信装置ではスーパーセグメント１やスーパーセグメント３のタイプＡのスーパーセグメントを受信することで、また、スーパーセグメント単位の連結している1セグメント形式の受信のできる受信装置ではスーパーセグメント２を一括受信することで、そのスーパーセグメント内のパイロット放送を用いて受信したスーパーセグメント内だけで番組選択できる効果がある。
【０２２４】
さらにまた、タイプＡ(13セグメント形式)の部分受信階層にパイロット放送(パイロットセグメント)を配置しているため、1セグメント形式の受信装置でもタイプＡのスーパーセグメントのサービス群のパイロット放送(パイロットセグメント)を受信できる効果がある。
【実施例６】
【０２２５】
図３４に本発明に係る実施形態６におけるデジタル放送受信装置１９２６の受信動作を示すフローチャートである。
【０２２６】
図３１、図３２、図３３のパイロット放送、パイロットセグメント、パイロット情報の場合の受信動作を図１９、図３４を用い説明する。図２３と同一符号は同一機能を表す。
【０２２７】
ステップ３４０１で受信動作を開始する。受信動作はＣＰＵ１９２２がシステムバス１９２１を介して各ブロックを制御する。
【０２２８】
ステップ３４０６でまずスーパーセグメントを選択する。図３２の例ではスーパーセグメントは3個ある。なおここで、例えば、スーパーセグメントを放送会社に割り当てて、メニューでは放送会社を選択するようにしてもよい。
【０２２９】
スーパーセグメント１、２、３のどれかを選択した後、ステップ３４０２、３４０３、３４０４のそれぞれａ系統、ｂ系統、ｃ系統に割り振られる。これらの動作は同じであるため、１、２、３、そして、ａ、ｂ、ｃの添え字を省いて説明する。
【０２３０】
スーパーセグメントを選択した後、ステップ３４０２でまず選択したスーパーセグメントの決められた周波数位置にあるパイロットセグメント(スーパーセグメント１は３２０１、スーパーセグメント２は３２０２、スーパーセグメント３は３２０３)を選局部１９０２は選局する。
【０２３１】
ステップ３４０３でＦ／Ｅ部１９２４によりＴＳを復調し、デスクランブル１部１９２８および、デマックス部１９０９により図３３のパイロット情報であるスーパーセグメント情報を抽出し、システムデコード部１９１５によりデコードする。
【０２３２】
ステップ３４０４で抽出したスーパーセグメント情報から各スーパーセグメント用のサービス選局表を作成し、記憶する。
【０２３３】
図３５にサービス選局表の一例を示す。スーパーセグメントごとに事業者識別、放送種別、日時、番組種別で整理され、番組別にそれぞれ選局周波数とスーパセグメント種類が割り当てられる。選局周波数は中心サブチャンネルの中心周波数である。また、スーパセグメント種類がタイプＡ(13セグメント形式)の場合は、番組やコンテンツが部分受信階層にあるかどうかが示される("○"：部分受信階層、"×"：部分受信以外の階層)。
【０２３４】
ステップ３４０５でリアルタイム放送、プッシュキャスト放送、ダウンロード済みのサービス表が表示される。一般的にリアルタイム放送のサービス表が優先的に表示され、プッシュキャスト放送やダウンロード済みのサービス表はメニューなどでユーザが選択する。
【０２３５】
図２５にサービス表の一例を示す。図２５(a)はリアルタイム放送、図２５(b)はプッシュキャスト放送、図２５(c)はダウンロード済みの場合の例である。以下は図２３で説明したとおりである。
【０２３６】
以上、図３４、３５のデジタル放送受信方法によれば、デジタル放送送信信号のセグメント構成を意識することなく受信することができる効果がある。また、放送サービス群をスーパーセグメントに割り当て、スーパーセグメントごとにパイロット放送するパイロットセグメントを設け番組情報を伝送しているため、スーパーセグメント単位で番組情報を管理すればいいので、そのとき選択した必要なスーパーセグメントの情報だけを得ることが出来、情報を得て図２５で示したサービス表を構築して表示するまでの時間を短縮することが出来る効果がある。
【０２３７】
また、図３２のセグメント配置では、13セグメント形式の受信のできる受信装置ではスーパーセグメント１やスーパーセグメント３のタイプＡのスーパーセグメントを受信することで、また、スーパーセグメント単位の連結している1セグメント形式の受信のできる受信装置ではスーパーセグメント２を一括受信することで、そのスーパーセグメント内のパイロット放送を用いて受信したスーパーセグメント内だけで番組選択できる効果がある。
【０２３８】
さらにまた、タイプＡ(13セグメント形式)の部分受信階層にパイロット放送(パイロットセグメント)を配置しているため、1セグメント形式の受信装置でもタイプＡのスーパーセグメントのサービス群のパイロット放送(パイロットセグメント)を受信できる効果がある。
【実施例７】
【０２３９】
図３６は本発明に係る実施形態７におけるデジタル放送送信装置が送信するデジタル放送送信信号のパイロット情報の一実施例を示す説明図である。
【０２４０】
図３６のパイロット情報は、図１８(b)の番組情報に加えバージョン情報を設けていることが特徴である。バージョン情報はパイロットバージョン番号と次回更新予定日時からなる。
【０２４１】
パイロットバージョン番号はパイロット情報に何らかの変更を加えたときに番号を一つ増加させる。フルスケールに達したその次は０に戻す。
【０２４２】
次回更新予定日時は、次にパイロット情報を変更するであろう予定の日時を示す。
【０２４３】
次に、ＴＳ伝送システム情報について説明する。この情報はパイロット放送以外の他の放送のＴＳで伝送されており、図３６の例ではこの情報の中にパイロットバージョン情報をを設ける。パイロットバージョン情報はパイロット情報のバージョン情報と同じ内容である。
【０２４４】
図３６のパイロット情報の例によれば、バージョン情報を設けたことで受信側でパイロット情報のバージョン管理を行なうことができる効果がある。また、次回更新予定日時を設けることで次回更新に対して受信機が準備できる効果がある。さらにまた、パイロット放送以外の他の放送のＴＳにもＴＳ伝送システム情報としてパイロットバージョン情報を設けているので、パイロット放送を受信していなくて他のパイロット放送以外のリアルタイム放送やプッシュキャスト放送を受信している場合に、その受信しているＴＳからパイロット放送のバージョン情報を入手することができる効果がある。
【０２４５】
なお、本実施例ではバージョン情報に関して図１８(b)のパイロット信号に対して追加したが、図１８(a)(c)、図２８(a)(b)(c)、図３３のパイロット情報に対して追加してもよい。
【実施例８】
【０２４６】
図３７に本発明に係る実施形態８におけるデジタル放送受信装置１９２６の受信動作を示すフローチャートである。
【０２４７】
図３６のパイロット情報の場合の受信動作を図１９、図３７を用い説明する。図２３と同一符号は同一機能を表す。
【０２４８】
ステップ３７０１で受信動作を開始する。受信動作はＣＰＵ１９２２がシステムバス１９２１を介して各ブロックを制御する。
【０２４９】
ステップ３７０２でデジタル放送受信装置１９２６にパイロット情報のバージョン情報が入手できているかの確認を行なう。
【０２５０】
パイロット情報のバージョン情報が入手できている場合は、ステップ３７０３でパイロット情報のバージョン情報とＴＳ伝送システム情報のパイロットバージョン情報のそれぞれのパイロットバージョン番号を比較する。パイロットバージョン番号が同じ場合、ステップ３７０４で更新予定日を確認する。更新予定日前の場合、サービス選局表は以前作成したものと同じと判断し、ステップ２３０５でサービス表を表示する。
【０２５１】
ステップ３７０２でバージョン情報が入手できていない場合は、デジタル放送受信装置１９２６を最初に立ち上げた場合、システムリセットがかけられた場合などが考えられ、この場合はサービス選局表がまだ作成されていないため、ステップ２３０２以降、サービス選局表の作成を行なう。
【０２５２】
ステップ３７０３でＴＳ伝送システム情報のパイロットバージョン情報のそパイロットバージョン番号がパイロット情報のバージョン情報のパイロットバージョン番号よりも更新されている場合、パイロット情報が更新されているためサービス選局表も更新する必要があり、ステップ２３０２以降、サービス選局表の更新を行なう。
【０２５３】
ステップ３７０４で更新予定日以後の場合、パイロット情報が更新されているためサービス選局表も更新する必要があり、ステップ２３０２以降、サービス選局表の更新を行なう。
【０２５４】
ステップ２３０２、ステップ２３０３の動作は図２３で説明したとおりである。ステップ２３０３でパイロット情報としてバージョン情報も抽出しており、ステップ３７０５でバージョン情報を記憶する。そのあと、ステップ２３０４でサービス選局表を作成または更新し、記憶する。そして、ステップ２３０５でサービス表を表示する。
【０２５５】
ステップ２３０５でリアルタイム放送を選択した場合のステップ２３０６、２３０７、２３０８、プッシュキャスト放送を選択した場合のステップ２３０９、２３１０、２３１１、２３１２、ダウンロード済みを選択した場合のステップ２３１３、２３１４のそれぞれの動作は、図２３で説明したとおりである。
【０２５６】
図３７ではリアルタイム放送、プッシュキャスト放送でそれぞれステップ２３０７、２３１１で選局、復調したあと、パイロットバージョン情報を抽出、記憶する処理を行なう。リアルタイム放送はステップ３７０６a、３７０７a、３７０８a、プッシュキャスト放送はステップ３７０６ｂ、３７０７ｂ、３７０８ｂで処理される。それぞれ動作は同じため、添え字ａ、ｂを省略して動作説明する。
【０２５７】
ステップ３７０６でステップ２３０７により復調されたＴＳからデスクランブル１部１９２８および、デマックス部１９０９により図３６のＴＳ伝送システム情報からパイロットバージョン情報を抽出し、システムデコード部１９１５によりデコードする。
【０２５８】
ステップ３７０７でパイロットバージョン情報のパイロットバージョン番号を確認し、以前記憶していたものと比較して更新されていれば、または、以前の記憶がなければステップ３７０８に進む。
【０２５９】
ステップ３７０８ではパイロットバージョン情報のパイロットバージョン番号記憶し、ステップ３７０６へ戻る。
【０２６０】
ステップ３７０７でパイロットバージョン情報のパイロットバージョン番号を確認し、以前記憶していたものと同じであれば、ステップ３７０６へ戻る。
【０２６１】
こうして、ステップ３７０６、３７０７、３７０８を繰り返して、常にパイロットバージョン情報を最新のものに更新する。
【０２６２】
以上、図３７ののデジタル放送受信方法によれば、デジタル放送送信信号のセグメント構成を意識することなく受信することができる効果がある。また、バージョン情報を用いパイロット情報のバージョン管理を行なうことで、パイロットバージョン番号が同じ(更新されていない)場合で更新予定日時前の場合には速やかにサービス表を表示することができる効果がある。さらにまた、パイロット放送以外の他の放送のＴＳにもＴＳ伝送システム情報としてパイロットバージョン情報を設けているので、パイロット放送を受信していなくて他のパイロット放送以外のリアルタイム放送やプッシュキャスト放送を受信している場合に、その受信しているＴＳからパイロットバージョン情報を入手してパイロット情報の更新確認をすることができる効果がある。
【実施例９】
【０２６３】
図３８は本発明に係る実施形態９におけるデジタル放送送信装置が送信するデジタル放送送信信号のセグメント構成の一実施例を示す説明図である。図３８は図４で説明したセグメント構成例であり、図３８において３８０１、３８０２はそれぞれ(a)、(b)のセグメント構成例におけるパイロットセグメントである。
【０２６４】
パイロットセグメントはパイロット放送を伝送するセグメントであり、1セグメント形式のセグメント、または13セグメント形式の部分受信セグメントとする。図３８が図１７のセグメント構成例と異なる点は、図３８(a)と(b)とでパイロットセグメントの周波数配置をそろえた点である。
【０２６５】
図３８(a)の例で、パイロットセグメント３８０１は[スーパーセグメント４、中心サブチャンネル番号 1]のセグメント、中心周波数は(216+1/7)MHzであり、図３８(b)の例ではパイロットセグメント３８０２は[スーパーセグメント２、中心サブチャンネル番号19]のセグメント、中心周波数は(216+1/7)MHzであり、図３８(a)と(b)とでパイロットセグメントの周波数配置は同じである。この周波数配置は図３８の例ではこの位置に決められている。
【０２６６】
また、図１６のサービスをスーパーセグメントに割り当てる例として、例えば図３８(a)の場合は以下とする。
【０２６７】
スーパーセグメント１：タイプＢ(1セグメント5個)にリアルタイム放送１６０３の5個の番組をそれぞれの1セグメント形式に割り当て、ＴＳ２をニュース、ＴＳ３を天気、ＴＳ４をショッピング、ＴＳ５をスポーツ、ＴＳ６を教育とする。
【０２６８】
スーパーセグメント２：タイプＢ(1セグメント1個)にリアルタイム放送１６０３の1個の番組を1セグメント形式に割り当て、ＴＳ７をプレミアムとする。
【０２６９】
スーパーセグメント３：タイプＡ(13セグメント1個)にプッシュキャスト放送１６０１を割り当て、ＴＳ１とする。
【０２７０】
スーパーセグメント４：タイプＢ(1セグメント1個)にパイロット放送１６０４をパイロットセグメントとして割り当て、ＴＳ８とする。
【０２７１】
スーパーセグメント５：タイプＡ(13セグメント1個)に混在放送１６０２を割り当て、ＴＳ９とする。
【０２７２】
また図３８(b)の場合は以下とする。
【０２７３】
スーパーセグメント１：タイプＡ(13セグメント1個)にプッシュキャスト放送１６０１を割り当て、ＴＳ１とする。
【０２７４】
スーパーセグメント２：タイプＢ(1セグメント7個)にリアルタイム放送１６０３の6個の番組と、パイロットセグメントとしてパイロット放送１６０４をそれぞれ1セグメント形式に割り当て、ＴＳ２をニュース、ＴＳ３を天気、ＴＳ４をショッピング、ＴＳ５をスポーツ、ＴＳ６を教育、ＴＳ７をプレミアム、ＴＳ８をパイロット放送１６０４とする。
【０２７５】
スーパーセグメント３：タイプＡ(13セグメント1個)に混在放送１６０２を割り当て、ＴＳ９とする。
【０２７６】
以上のように図３８(a)と(b)の場合においてＴＳレベルでの放送を同じにする。なお、この割り当ては図２のマルチメディア信号発生部２０１で行なわれる。
【０２７７】
図３８(a)の例では1セグメント形式１個のタイプＢスーパーセグメントをパイロットセグメントとし、図１７(b)の例では1セグメント形式7個連結のタイプＢスーパーセグメントのなかの一つのセグメントをパイロットセグメントとしている。したがって、図３８(a)の例ではスーパーセグメント単位に処理を行う場合に適しており、図３８(b)の例ではＴＳ単位で処理を行う場合に適している特徴がある。
【０２７８】
図３９はパイロット放送で伝送されるパイロット情報の一例である。
【０２７９】
物理チャンネル情報は、物理チャンネル１、２、３の３つの物理チャンネルの周波数を定義する。物理チャンネルの周波数は開始周波数〜終了周波数で示してもいいし、物理チャンネル帯域幅が6MHzと決まっているので、開始、終了、中央の周波数で定義してもよい。なお、物理チャンネルの周波数位置は、一部帯域を重複して定義される場合もあり得る。この場合、重なり部分の周波数帯幅は6/14MHzの整数倍となる。
【０２８０】
スーパーセグメント情報は、スーパーセグメント番号とスーパーセグメント構成を結びつける。スーパーセグメント種類｛タイプＡ(13セグメント)、タイプＢ(1セグメント)｝、連結数、物理チャンネル番号｛１、２、３｝、中心サブチャンネル番号｛０〜４１｝(１３セグメントの場合は１３セグメントの中心セグメントの値)を示すことで、スーパーセグメント構成とその周波数配置が決定される。
【０２８１】
ＴＳ情報はＴＳ番号(図２参照)とスーパーセグメント構成を結びつける。スーパーセグメント番号、スーパーセグメント種類、中心サブチャンネル番号がわかれば、ＴＳ番号の伝送セグメントが確定でき、その結果伝送周波数配置がわかる。
【０２８２】
図４０(a)に図３８(a)の、図４０(b)に図３８(b)の物理チャンネル情報、スーパーセグメント情報、ＴＳ情報を示す。
【０２８３】
図３８のパイロット放送であるパイロットセグメントの周波数配置および図３９のパイロット放送で伝送されるパイロット情報とすれば、図３８(a)と(b)でパイロットセグメントの周波数配置が同じであるため、決められた周波数配置のパイロットセグメントをまず選局して復調することにより、図３９のパイロット情報でスーパーセグメント構成を認識することができ、そのため、図３８(a)のスーパーセグメント単位に処理を行う場合に適しているスーパーセグメント構成から図３８(b)のＴＳ単位で処理を行う場合に適しているスーパーセグメント構成へ、また、図３８(b)のＴＳ単位で処理を行う場合に適しているスーパーセグメント構成から図３８(a)のスーパーセグメント単位に処理を行う場合に適しているスーパーセグメント構成へ、いつでも変更することができる効果がある。
【符号の説明】
【０２８４】
１０１…コンテンツ送出装置
１０２…欠損補完用データ送出装置
１０３…ライセンス管理装置
１０４…決済システム・顧客管理システム
１０５…リムーバブルメディア
１０６…受信装置
１０７…蓄積装置
１０８…メタデータ送出装置
２０１…マルチメディア信号発生部
２０２…13セグメント形式符号化部
２０３…3セグメント形式符号化部
２０４…連結フレーム構成部
２０５…再連結フレーム構成部
２０６…逆高速フーリエ変換(ＩＦＦＴ)／ガードインターバル付加部
２０７…アップコンバータ部
２０８…送信アンプ部
２０９…アンテナ
２１１…ＲＳ(リード・ソロモン)符号化部
２１２…変調・符号化部
２１３…インタリーブ部
２１４…フレーム構成部
２１５…階層分割部
２１６…階層合成部
２２１…ＲＳ(リード・ソロモン)符号化部
２２２…変調・符号化部
２２３…インタリーブ部
２２４…フレーム構成部
３０１…コンテンツ／メタデータ登録機能
３０２…メタデータ生成機能
３０３…メタデータ蓄積機能
３０４…コンテンツ蓄積・再生機能
３０５…コンテンツ暗号化機能
３０６…記録媒体
３０７…マルチメディア信号発生部
６０１…入力
６０２…エネルギー拡散部
６０３…遅延補正部
６０４…バイトインターリーブ部
６０５…畳み込み符号化部
６０６…キャリア変調部
６０７…ビットインターリーブ部
６０８…マッピング部
６０９…出力
７０１…入力
７０２…パイロット信号構成部
７０３…ＴＭＣＣ(Transmission and Multiplexing Configuration Control)信号構成部
７０４…ＡＣ(Auxiliary Channel)信号構成部
７０５…ＯＦＤＭフレーム構成部
７０６…出力
１９０１…アンテナ
１９０２…選局部
１９０３…直交復調部
１９０４…高速フーリエ変換(ＦＦＴ)部
１９０５…復調復号部
１９０６…同期再生部
１９０７…フレーム抽出部
１９０８…ＴＭＣＣ復号部
１９０９…デマックス部
１９１０…圧縮された放送音声信号のデコード部
１９１１…音声出力部
１９１２…圧縮された放送映像信号のデコード部
１９１３…提示処理部
１９１４…映像出力部
１９１５…システムデコード部
１９１６…書き換え可能タイプ不揮発性メモリ(ＮＶＲＡＭ)
１９１７…ＲＯＭ(Read Only Memory)
１９１８…ＲＡＭ(Random Access Memory)
１９１９…通信回線インターフェース(Ｉ／Ｆ)
１９２０…入出力部(Ｉ／Ｏ)
１９２１…システムバス
１９２２…中央演算処理部(ＣＰＵ)
１９２３…ボタン
１９２４…フロント・エンド (Ｆ／Ｅ)
１９２５…バック・エンド (Ｂ／Ｅ)部
１９２６…デジタル放送受信装置
１９２７…リムーバブルメディア
１９２８…デスクランブル１部
１９２９…デスクランブル２部
１９３０…CAS（Conditional Access System）
１９３１…記録媒体
２１０１…入力
２１０２…キャリア復調部
２１０３…デインターリーブ部
２１０４…デマッピング部
２１０５…ビットデインターリーブ部
２１０６…デパンクチャ部
２１０７…ビタビ復号部
２１０８…バイトデインターリーブ部
２１０９…エネルギー逆拡散部
２１１０…ＴＳ再生部
２１１１…ＲＳ(リード・ソロモン)復号部
２１１２…出力
２１２１…階層分割部
２１２２…階層合成部
２２０１…入力
２２０２…キャリア復調部
２２０３…デインターリーブ部
２２０４…デマッピング部
２２０５…ビットデインターリーブ部
２２０６…デパンクチャ部
２２０７…ビタビ復号部
２２０８…バイトデインターリーブ部
２２０９…エネルギー逆拡散部
２２１０…ＴＳ再生部
２２１１…ＲＳ(リード・ソロモン)復号部
２２１２…出力
【図１】
2012080301.tif 000003
【図２】
2012080301.tif 000004
【図３】
2012080301.tif 000005
【図４】
2012080301.tif 000006
【図５】
2012080301.tif 000007
【図６】
2012080301.tif 000008
【図７】
2012080301.tif 000009
【図８】
2012080301.tif 000010
【図９】
2012080301.tif 000011
【図１０】
2012080301.tif 000012
【図１１】
2012080301.tif 000013
【図１２】
2012080301.tif 000014
【図１３】
2012080301.tif 000015
【図１４】
2012080301.tif 000016
【図１５】
2012080301.tif 000017
【図１６】
2012080301.tif 000018
【図１７】
2012080301.tif 000019
【図１８】
2012080301.tif 000020
【図１９】
2012080301.tif 000021
【図２０】
2012080301.tif 000022
【図２１】
2012080301.tif 000023
【図２２】
2012080301.tif 000024
【図２３】
2012080301.tif 000025
【図２４】
2012080301.tif 000026
【図２５】
2012080301.tif 000027
【図２６】
2012080301.tif 000028
【図２７】
2012080301.tif 000029
【図２８】
2012080301.tif 000030
【図２９】
2012080301.tif 000031
【図３０（ａ）】
2012080301.tif 000032
【図３０（ｂ）】
2012080301.tif 000033
【図３１】
2012080301.tif 000034
【図３２】
2012080301.tif 000035
【図３３】
2012080301.tif 000036
【図３４】
2012080301.tif 000037
【図３５】
2012080301.tif 000038
【図３６】
2012080301.tif 000039
【図３７】
2012080301.tif 000040
【図３８】
2012080301.tif 000041
【図３９】
2012080301.tif 000042
【図４０（ａ）】
2012080301.tif 000043
【図４０（ｂ）】
2012080301.tif 000044